(57)【要約】      （修正有）【課題】除湿システムを提供する。【解決手段】除湿システムは、コンプレッサ、一次エバポレータ、一次コンデンサ、二次エバポレータ、二次コンデンサを含む。二次エバポレータは、吸入空気流を受け、第１の空気流を一次エバポレータに排出する。一次エバポレータは、第１の空気流を受け、二次コンデンサに第２の空気流を排出する。二次コンデンサは、第２の空気流を受け、第３の空気流を一次コンデンサに排出する。一次コンデンサは、第３の空気流を受け、除湿空気流を排出する。コンプレッサは、一次エバポレータから冷媒の流れを受け、一次コンデンサに冷媒の流れを供給する。【選択図】図３
2020106265.tif 000002
【特許請求の範囲】
【請求項１】
除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、除湿空気流を排出するように動作可能であり、前記除湿空気流は、前記第２の空気流より暖かく且つ湿度の低い空気を含み、前記除湿空気流は、前記第２の空気流が前記二次コンデンサを通過するとき、前記冷媒の流れから前記除湿空気流に熱を伝達することによって生成される；
二次コンデンサと：
前記吸入空気流、前記第１の空気流、前記第２の空気流、および前記除湿空気流を生成するように動作可能である第１のファンと；
を有する、除湿ユニット；並びに
コンデンサユニットであって：
第３の空気流を生成するように動作可能な第２のファンと；
サブクーリングコイルであって：
一次コンデンサから前記冷媒の流れを受け；
前記一次計量装置に前記冷媒の流れを排出し；
前記第３の空気流が前記サブクーリングコイルに接触するとき前記冷媒の流れから前記第３の空気流に熱を伝達する；
ように動作可能である、サブクーリングコイルと；
前記一次コンデンサであって：
コンプレッサから前記冷媒の流れを受け；
前記第３の空気流が前記一次コンデンサに接触するとき前記冷媒の流れから前記第３の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
【請求項２】
前記サブクーリングコイルおよび前記一次コンデンサは、単一のコイルユニットに組み合わされる、
請求項１に記載の除湿システム。
【請求項３】
前記二次エバポレータ、前記一次エバポレータ、および前記二次コンデンサからなるグループから選択される２以上の部材が単一のコイルパックに組み合わされる、
請求項１に記載の除湿システム。
【請求項４】
前記一次エバポレータおよび／または前記二次エバポレータは、前記冷媒の流れのための２以上の回路を有する、
請求項１または３に記載の除湿システム。
【請求項５】
前記一次エバポレータおよび／または前記二次エバポレータへの細分された前記冷媒の流れを供給するように動作可能な受動計量装置および／または能動計量装置を有する、
請求項４に記載の除湿システム。
【請求項６】
前記一次計量装置および前記二次計量装置は、前記一次エバポレータおよび／または前記二次エバポレータへの細分された前記冷媒の流れを供給するように動作可能である、
請求項４に記載の除湿システム。
【請求項７】
前記第２のファンは、前記第１のファンによって生成される前記第１の空気流の空気流量より約２倍から約５倍の間の空気流量で前記第３の空気流を生成するように動作可能である、
請求項１に記載の除湿システム。
【請求項８】
前記二次計量装置は、実質的に開放状態で動作する、
請求項１に記載の除湿システム。
【請求項９】
除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、第３の空気流を排出するように動作可能であり、前記第３の空気流は、前記第２の空気流より暖かく且つ湿度の低い空気を含み、前記第３の空気流は、前記第２の空気流が前記二次コンデンサを通過するとき、前記冷媒の流れから前記第３の空気流に熱を伝達することによって生成される；
二次コンデンサと：
サブクーリングコイルであって：
一次コンデンサから前記冷媒の流れを受けるように動作可能であり；
前記一次計量装置に前記冷媒の流れを排出するように動作可能であり；
前記第３の空気流を受け、除湿空気流を排出するように動作可能であり、前記除湿空気流は、前記第３の空気流より暖かく且つ湿度の低い空気を含み、前記除湿空気流は、前記第３の空気流が前記サブクーリングコイルを通過するとき、前記冷媒の流れから前記除湿空気流に熱を伝達することによって生成される；
サブクーリングコイルと；
前記吸入空気流、前記第１の空気流、前記第２の空気流、前記第３の空気流、および前記除湿空気流を生成するように動作可能である第１のファンと；
を有する、除湿ユニット；並びに
コンデンサユニットであって：
第４の空気流を生成するように動作可能な第２のファンと；
サブクーリングコイルであって：
前記一次コンデンサから前記冷媒の流れを受け；
前記一次計量装置に前記冷媒の流れを排出し；
前記第４の空気流が前記サブクーリングコイルに接触するとき前記冷媒の流れから前記第４の空気流に熱を伝達する；
ように動作可能である、サブクーリングコイルと；
前記一次コンデンサであって：
コンプレッサから前記冷媒の流れを受け；
前記第４の空気流が前記一次コンデンサに接触するとき前記冷媒の流れから前記第４の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
【請求項１０】
前記二次エバポレータ、前記一次エバポレータ、前記二次コンデンサ、および前記サブクーリングコイルからなるグループから選択される２以上の部材が単一のコイルパックに組み合わされる、
請求項９に記載の除湿システム。
【請求項１１】
前記一次エバポレータおよび／または前記二次エバポレータは、前記冷媒の流れのための２以上の回路を有する、
請求項９または１０に記載の除湿システム。
【請求項１２】
前記一次エバポレータおよび／または前記二次エバポレータへの細分された前記冷媒の流れを供給するように動作可能な受動計量装置および／または能動計量装置を有する、
請求項１１に記載の除湿システム。
【請求項１３】
前記一次計量装置および前記二次計量装置は、前記一次エバポレータおよび／または前記二次エバポレータへの細分された前記冷媒の流れを供給するように動作可能である、
請求項１１に記載の除湿システム。
【請求項１４】
前記第２のファンは、前記第１のファンによって生成される前記第１の空気流の空気流量より約２倍から約５倍の間の空気流量で前記第４の空気流を生成するように動作可能である、
請求項９に記載の除湿システム。
【請求項１５】
前記二次計量装置は、実質的に開放状態で動作する、
請求項９に記載の除湿システム。
【発明の詳細な説明】
【技術分野】
【０００１】
（関連出願の相互参照）
本出願は、“DHUMIDIFIER  WITH  SECONDARY  EVAPORATOR  AND  CONDENSER  COILS”と題する、Dwaine  Walter  Tuckerらにより2017年3月16日に出願された米国非仮出願第15/460,772号に対する優先権を主張する一部継続出願であり、その全体が引用により本明細書に組み込まれている。
【０００２】
本発明は、概して、除湿に関し、より詳細には、二次エバポレータおよびコンデンサコイルを備える除湿機に関する。
【背景技術】
【０００３】
ある状況では、構造（structure）内の空気の湿度を減らすことが望ましい。例えば、火災および洪水復旧用途においては、損傷した構造の領域から水を迅速に除去することが望ましい場合がある。これを実現するために、１つまたは複数のポータブル除湿機が、乾燥空気を水の損傷を受けた領域に向けるために、構造内に設置されることがある。しかし、現在の除湿機は、様々な点で非効率的であることが証明されている。
【発明の概要】
【０００４】
本開示の実施形態によれば、従来のシステムに関連する欠点および問題は、軽減または除去され得る。
【０００５】
特定の実施形態では、除湿システムは、コンプレッサ、一次エバポレータ、一次コンデンサ、二次エバポレータ、および二次コンデンサを含む。二次エバポレータは、吸入空気流（inlet  airflow）を受け、第１の空気流を一次エバポレータに排出する（outputs）。一次エバポレータは、第１の空気流を受け、第２の空気流を二次コンデンサに排出する。二次コンデンサは、第２の空気流を受け、第３の空気流を一次コンデンサに排出する。一次コンデンサは、第３の空気流を受け、除湿された空気流を排出する。コンプレッサは、一次エバポレータから低温、低圧の冷媒蒸気の流れを受け、高温、高圧の冷媒蒸気の流れを一次コンデンサに供給する。
【０００６】
本開示の特定の実施形態は、１つまたは複数の技術的利点を提供し得る。例えば、特定の実施形態は、閉冷却（closed  refrigeration）ループを利用する２つのエバポレータ、２つのコンデンサ、および２つの計量（metering）装置を含む。この構成は、システム内の冷媒の一部を１冷却サイクル内で２回蒸発させるとともに凝縮させ、それによって、コンプレッサに追加の電力を加えることなく、典型的なシステムに対してコンプレッサ容量を増加させる。これは、使用電力キロワット当たりより多くの除湿を提供することにより、システムの全体効率を向上させる。低い湿度の排出空気流は、増大した乾燥能力を可能にし、これは、特定の用途（例えば、火災および洪水修復）において有益であり得る。
【０００７】
本開示の特定の実施形態は、上記の利点のいくつかを含む、すべてを含む、または全く含まないことがある。１つまたは複数の他の技術的利点が、図、説明、および本明細書に含まれる特許請求の範囲から当業者には容易に明らかになり得る。
【図面の簡単な説明】
【０００８】
本発明ならびにその特徴および利点のより完全な理解を提供するために、添付の図面と併せて以下の説明を参照する。
【０００９】
【図１】特定の実施形態による、構造内の空気の湿度を低下させるための例示の分離（split）システムの例を示す。
【図２】特定の実施形態による、構造内の空気の湿度を低下させるための例示のポータブルシステムを示す。
【図３】特定の実施形態による、構造内の空気の湿度を低下させるために図１および２のシステムによって使用され得る例示の除湿システムを示す。
【図４】特定の実施形態による、構造内の空気の湿度を低下させるために図１および２のシステムによって使用され得る例示の除湿システムを示す。
【図５】特定の実施形態による、構造内の空気の湿度を低下させるために図１および２のシステムによって使用され得る例示的な除湿方法を示す。
【図６】特定の実施形態による、例示的な除湿システムを示す。
【図７】特定の実施形態による、本明細書に記載のシステムで使用するための例示的なコンデンサシステムを示す。
【図８】特定の実施形態による、例示的な除湿システムを示す。
【図９】特定の実施形態による、本明細書に記載のシステムで使用するための単一のコイルパックの例を示す。
【図１０】特定の実施形態による、本明細書に記載のシステムで使用するための単一のコイルパックの例を示す。
【図１１】特定の実施形態による、本明細書に記載のシステムで使用するための３つの回路を有する一次エバポレータの一例を示す。
【図１２】特定の実施形態による、本明細書に記載のシステムで使用するための３つの回路を有する一次エバポレータの一例を示す。
【図１３】特定の実施形態による、本明細書に記載のシステムで使用するための３つの回路を有する一次エバポレータの一例を示す。
【図１４】特定の実施形態による、本明細書に記載のシステムで使用するための３つの回路を有する一次エバポレータの一例を示す。
【発明を実施するための形態】
【００１０】
ある状況では、構造内の空気の湿度を減らすことが望ましい。例えば、火災および洪水復旧用途においては、構造内に１つ又は複数のポータブル除湿ユニットを配置することにより、損傷した構造から水を除去することが望ましい。もう１つの例として、高い湿度レベルの天候を経験するエリア、または湿度レベルが低いことが要求される建物（例えば、図書館）では、中央空調システム内に除湿ユニットを設置することが望ましい。さらに、いくつかの商業的用途では、所望の湿度レベルを維持することが必要であり得る。しかし、現在の除湿機では、様々な点で不十分あるいは非効率であることが証明されている。
【００１１】
現在の除湿システムでの非効率性および他の問題に対処するために、開示された実施形態は、二次エバポレータおよび二次コンデンサを含む除湿システムを提供し、これは、多段システム内の冷媒の一部を１冷却サイクルにおいて二回蒸発および凝縮させる。これは、コンプレッサにさらなる電力を追加することなく典型的なシステムに対してコンプレッサ能力を増加させる。これにより、使用電力のキロワット当たりのより多くの除湿を提供することにより、システムの全体の効率が向上する。
【００１２】
図１は、特定の実施形態による、構造１０２に除湿空気１０６を供給するための例示的な除湿システム１００を示す。除湿システム１００は、構造１０２内に配置されたエバポレータシステム１０４を含む。構造１０２は、集合住宅、ホテル、オフィススペース、商業ビル、または個人の住居（例えば、家）など、建物または他の適切な密閉空間の全部または一部を含み得る。エバポレータシステム１０４は、構造１０２内から吸入空気（inlet  air）１０１を受け、受けた吸入空気１０１の水分を減少させ、除湿空気１０６を供給して構造１０２に戻す。エバポレータシステム１０４は、図示のように、空気ダクトを介して除湿された空気１０６を構造１０２全体に分配し得る。
【００１３】
概して、除湿システム１００は、エバポレータシステム１０４が構造１０２の外部に配置された遠隔コンデンサシステム１０８に結合される分離システムである。遠隔コンデンサシステム１０８は、冷却サイクルの一部としての冷媒の流れを処理することによってエバポレータシステム１０４の機能を促進するコンデンサユニット１１２およびコンプレッサユニット１１４を含み得る。冷媒の流れは、Ｒ４１０ａ冷媒などの任意の適切な冷却材料を含み得る。特定の実施形態では、コンプレッサユニット１１４は、冷媒ライン１１６を介してエバポレータシステム１０４から冷媒蒸気の流れを受け得る。コンプレッサユニット１１４は、冷媒の流れを加圧し、それによって冷媒の温度を上昇させ得る。コンプレッサの速度は、所望の動作特性を達成するように調節され得る。コンデンサユニット１１２は、コンプレッサユニット１１４からの冷媒蒸気の加圧流を受け、冷媒の流れから構造１０２の外の外気への熱伝達を促進することによって加圧冷媒を冷却し得る。特定の実施形態では、遠隔コンデンサシステム１０８は、冷媒の流れから熱を除去するためのマイクロチャネル熱交換器などの熱交換器を利用し得る。遠隔コンデンサシステム１０８は、冷媒の流れを冷却するのに使用するために、外側構造１０２から周囲空気を吸引するファンを含み得る。特定の実施形態では、このファンの速度は、所望の動作特性を達成するように調節される。例示的なコンデンサシステムの例示的な実施形態が、例えば、（以下にさらに詳細に説明する）図７に示されている。
【００１４】
コンデンサユニット１１２によって冷却されて液体に凝縮された後、冷媒の流れは、冷媒ライン１１８を介してエバポレータシステム１０４へ移動する。特定の実施形態では、冷媒の流れは、冷媒の流れの圧力を低下させ、それによって冷媒の流れの温度を低下させる（後述する）膨張装置によって受けられ得る。エバポレータシステム１０４のエバポレータユニット（以下にさらに詳細に説明する）は、膨張装置から冷媒の流れを受け、冷媒の流れを使用して、流入する空気流を除湿し、冷却し得る。次いで、冷媒の流れは遠隔コンデンサシステム１０８に戻り、このサイクルを繰り返し得る。
【００１５】
特定の実施形態では、エバポレータシステム１０４は、送風機（air  mover）と直列に設置され得る。送風機は、ある場所から別の場所へ空気を送風するファンを含み得る。送風機は、エバポレータシステム１０４から構造１０２の様々な部分への排出空気（outgoing  air）の分配を促進し得る。送風機およびエバポレータシステム１０４は、空気が吸引される別個の戻り口を有し得る。特定の実施形態では、エバポレータシステム１０４からの排出空気は、別の構成要素（例えば、空調機）によって生成された空気と混合され、送風機によって空気ダクトを吹き通され得る。他の実施形態では、エバポレータシステム１０４は、冷却および除湿の両方を行うことができ、従って、従来の空調機なしで使用され得る。
【００１６】
除湿システム１００の特定の実施形態が図示され、主に説明されているが、本開示は、特定のニーズに従って、除湿システム１００の任意の適切な実施を意図している。さらに、除湿システム１００の種々の構成要素は、特定の位置に位置するように図示されているが、本開示は、特定のニーズに従って、これらの構成要素が任意の適切な位置に位置することを意図している。
【００１７】
図２は、本開示の特定の実施形態による、構造１０２内の空気の湿度を低下させるための例示のポータブル除湿システム２００を示している。除湿システム２００は、除湿空気１０６を、除湿を必要とする領域（例えば、水損領域）に向けるために、構造１０２内の任意の場所に配置され得る。概して、除湿システム２００は、吸入空気流１０１を受け、吸入空気流１０１から水を除去し、除湿空気１０６を放出して構造１０２に戻す。特定の実施形態では、構造１０２は、（例えば、洪水または火災の結果として）水による損傷を受けた空間を含む。水による損傷を受けた構造１０２を復元するために、１つまたは複数の除湿システム２００が、構造１０２内の空気の湿度を素早く減少させ、水による損傷を受けた構造１０２の部分を乾燥させるために構造１０２内に戦略的に配置され得る。
【００１８】
ポータブル除湿システム２００の特定の実施が図示され、主に説明されているが、本開示は、特定のニーズに従って、ポータブル除湿システム２００の任意の適切な実施を意図している。さらに、ポータブル除湿システム２００の様々な構成要素が構造１０２内の特定の位置に位置するものとして図示されているが、本開示は、特定のニーズに従って、これらの構成要素が任意の適切な位置に位置することを意図している。
【００１９】
図３および図４は、構造１０２内の空気の湿度を低下させるために図１および図２の除湿システム１００およびポータブル除湿システム２００によって使用され得る例示の除湿システム３００を示す。除湿システム３００は、一次エバポレータ３１０、一次コンデンサ３３０、二次エバポレータ３４０、二次コンデンサ３２０、コンプレッサ３６０、一次計量装置３８０、二次計量装置３９０、およびファン３７０を含む。いくつかの実施形態では、除湿システム３００は、追加的に、サブクーリングコイル（sub-cooling  coil）３５０を含み得る。特定の実施形態では、サブクーリングコイル３５０および一次コンデンサ３３０は単一のコイルに統合される（combined  into）。冷媒３０５の流れは、図示のように、除湿システム３００を通って循環される。概して、除湿システム３００は、吸入空気流１０１を受け、吸入空気流１０１から水を除去し、除湿空気１０６を排出する。水は、冷媒３０５の流れの冷却サイクルを使用して吸入空気１０１から除去される。しかし、二次エバポレータ３４０および二次コンデンサ３２０を含むことによって、除湿システム３００は少なくとも冷媒３０５の流れの一部を単一の冷却サイクル内で２回蒸発および凝縮させる。これは、コンプレッサに追加の電力を加えることなく、典型的なシステムに対して冷却能力を増加させ、それによって、システムの全体的な除湿効率を増加させる。
【００２０】
概して、除湿システム３００は、二次エバポレータ３４０の飽和温度を二次コンデンサ３２０の飽和温度に合わせようと試みる。二次エバポレータ３４０および二次コンデンサ３２０の飽和温度は、概して、（吸入空気１０１の温度＋第２の空気流３１５の温度）／２の式に従って制御される。二次エバポレータ３４０の飽和温度は吸入空気１０１より低いので、蒸発は二次エバポレータ３４０で起こる。二次コンデンサ３２０の飽和温度は、第２の空気流３１５よりも高いので、凝縮が二次コンデンサ３２０で起こる。二次エバポレータ３４０で蒸発する冷媒３０５の量は、二次コンデンサ３２０で凝縮する量と実質的に等しい。一次エバポレータ３１０は、二次計量装置３９０から冷媒３０５の流れを受け、冷媒３０５の流れをコンプレッサ３６０へ排出する。一次エバポレータ３１０は、任意のタイプのコイル（例えば、フィンチューブ（fin  tube）、マイクロチャネルなど）であり得る。一次エバポレータ３１０は、二次エバポレータ３４０から第１の空気流３４５を受け、第２の空気流３１５を二次コンデンサ３２０に排出する。第２の空気流３１５は、概して、第１の空気流３４５より低い温度である。入ってくる第１の空気流３４５を冷却するために、一次エバポレータ３１０は、第１の空気流３４５からの熱を冷媒３０５の流れに伝達し、それによって冷媒３０５の流れを少なくとも部分的に液体から気体に蒸発させる。第１の空気流３４５から冷媒３０５の流れへのこの熱の伝達はまた、第１の空気流３４５から水を除去する。
【００２１】
二次コンデンサ３２０は、二次エバポレータ３４０からの冷媒３０５の流れを受け、二次計量装置３９０へ冷媒３０５の流れを排出する。二次コンデンサ３２０は、任意のタイプのコイル（例えば、フィンチューブ、マイクロチャネルなど）であり得る。二次コンデンサ３２０は、一次エバポレータ３１０からの第２の空気流３１５を受け、第３の空気流３２５を排出する。第３の空気流３２５は、概して、第２の空気流３１５よりも暖かく、乾燥している（すなわち、露点は同じであるが相対湿度は低い）。二次コンデンサ３２０は、冷媒３０５の流れから第２の空気流３１５へ熱を移送することによって第３の空気流３２５を生成し、それによって冷媒３０５の流れを少なくとも部分的に気体から液体に凝縮させる。
【００２２】
一次コンデンサ３３０は、コンプレッサ３６０からの冷媒３０５の流れを受け、一次計量装置３８０またはサブクーリングコイル３５０のいずれかへ冷媒３０５の流れを排出する。一次コンデンサ３３０は、任意のタイプのコイル（例えば、フィンチューブ、マイクロチャネル等）であり得る。一次コンデンサ３３０は、第３の空気流３２５または第４の空気流３５５のいずれかを受け、除湿空気１０６を排出する。除湿空気１０６は、概して、第３の空気流３２５および第４の空気流３５５よりも温かく、乾燥している（すなわち、より低い相対湿度を有する）。一次コンデンサ３３０は、冷媒３０５の流れから熱を伝達することによって除湿空気１０６を生成し、それによって冷媒３０５の流れを少なくとも部分的に気体から液体に凝縮させる。いくつかの実施形態において、一次コンデンサ３３０は、冷媒３０５の流れを液体に完全に凝縮する（すなわち、１００％液体）。他の実施形態では、一次コンデンサ３３０は、冷媒３０５の流れを液体に部分的に凝縮する（すなわち、１００％未満の液体）。特定の実施形態では、図４に示すように、一次コンデンサ３３０の一部は、気流１０１に加えて別個の空気流を受ける。例えば、図４の一次コンデンサ３３０の最右端は、二次エバポレータ３４０、一次エバポレータ３１０、二次コンデンサ３２０、およびサブクーリングコイル３５０の右端を越えて延びているまたはオーバーハングしている（overhangs）。一次コンデンサ３３０のこのオーバーハングしている部分は、追加の別個の空気流を受け得る。
【００２３】
二次エバポレータ３４０は、一次計量装置３８０からの冷媒３０５の流れを受け、二次コンデンサ３２０に冷媒３０５の流れを排出する。二次エバポレータ３４０は、任意のタイプのコイル（例えば、フィンチューブ、マイクロチャネルなど）であり得る。二次エバポレータ３４０は、吸入空気１０１を受け、第１の空気流３４５を一次エバポレータ３１０に排出する。第１の空気流３４５は、概して、吸入空気１０１よりも低温である。入ってくる吸入空気１０１を冷却するために、二次エバポレータ３４０は吸入空気１０１から冷媒３０５の流れに熱を伝達し、それによって冷媒３０５の流れを少なくとも部分的に液体から気体に蒸発させる。
【００２４】
除湿システム３００のオプションの構成要素であるサブクーリングコイル３５０は、液体冷媒３０５が一次コンデンサ３３０を出る際に、それをサブクールする（sub-cools）。これは、次に、一次計量装置３８０に、それがサブクーリングコイル３５０に入る前より３０度（またはそれ以上）まで冷却される液体冷媒を供給する。例えば、サブクーリングコイル３５０に入る冷媒３０５の流れが３４０ｐｓｉｇ／１０５°Ｆ／６０％蒸気である場合、冷媒３０５の流れは、それがサブクーリングコイル３５０を出るとき、３４０ｐｓｉｇ／８０°Ｆ／０％蒸気であり得る。サブクールされた冷媒（sub-cooled  refrigerant）３０５は、より大きい熱エンタルピー係数並びにより大きい密度を有し、その結果、冷媒３０５の流れの蒸発サイクルのサイクル時間および頻度が減少する。これは、除湿システム３００のより高い効率およびより少ないエネルギ使用をもたらす。除湿システム３００の実施形態は、サブクーリングコイル３５０を含んでも含まなくてもよい。例えば、マイクロチャネルコンデンサ３３０または３２０を有するポータブル除湿システム２００内で利用される除湿システム３００の実施形態は、サブクーリングコイル３５０を含み得る、一方、別のタイプのコンデンサ３３０または３２０を利用する除湿システム３００の実施形態は、サブクーリングコイル３５０を含まなくてもよい。別の例として、除湿システム１００などの分離システム内で利用される除湿システム３００は、サブクーリングコイル３５０を含まなくてもよい。
【００２５】
コンプレッサ３６０は、冷媒３０５の流れを加圧し、それによって冷媒３０５の温度を上昇させる。例えば、コンプレッサ３６０に入る冷媒３０５の流れが１２８ｐｓｉｇ／５２°Ｆ／１００％蒸気である場合、冷媒３０５の流れは、コンプレッサ３６０を出る際に３４０ｐｓｉｇ／１５０°Ｆ／１００％蒸気であり得る。コンプレッサ３６０は、一次エバポレータ３１０からの冷媒３０５の流れを受け、一次コンデンサ３３０に加圧された冷媒３０５の流れを供給する。
【００２６】
ファン３７０は、吸入空気１０１を除湿システム３００内に、そして二次エバポレータ３４０、一次エバポレータ３１０、二次コンデンサ３２０、サブクーリングコイル３５０、および一次コンデンサ３３０を通って吸引するように動作可能な任意の適切な構成要素を含み得る。ファン３７０は、任意のタイプの送風機（例えば、軸方向ファン、前方傾斜羽根車（forward  inclined  impeller）、後方傾斜羽根車（backward  inclined  impeller）等）であり得る。例えば、ファン３７０は、図３に示すように、一次コンデンサ３３０に隣接して配置された後方傾斜羽根車であり得る。ファン３７０は、一次コンデンサ３３０に隣接して配置されているとして図３に示されているが、ファン３７０は、除湿システム３００の空気流路に沿った任意の位置に配置され得ることが理解されるべきである。例えば、ファン３７０は、空気流１０１、３４５、３１５、３２５、３５５、または１０６のいずれか１つの空気流路内に配置され得る。さらに、除湿システム３００は、これらの空気流路のうちの任意の１つまたは複数内に配置された１つまたは複数の追加ファンを含み得る。一次計量装置３８０および二次計量装置３９０は、任意の適切なタイプの計量／膨張装置である。いくつかの実施形態では、一次計量装置３８０は、サーモスタット膨張弁（thermostatic  expansion  valve）（ＴＸＶ）であり、二次計量装置３９０は、固定オリフィス装置である（またはその逆である）。特定の実施形態では、計量装置３８０および３９０は、冷媒３０５の流れから圧力を除去し、エバポレータ３１０および３４０内における液体から蒸気への膨張または状態の変化を可能にする。計量装置３８０および３９０に流入する高圧液体（またはほとんどが液体の）冷媒は、計量装置３８０および３９０を出る液体冷媒３０５よりも高い温度にある。例えば、一次計量装置３８０に入る冷媒３０５の流れが３４０ｐｓｉｇ／８０°Ｆ／０％蒸気である場合、冷媒３０５の流れは、一次計量装置３８０を出るときに１９６ｐｓｉｇ／６８°Ｆ／５％蒸気であり得る。別の例として、二次計量装置３９０に入る冷媒３０５の流れが１９６ｐｓｉｇ／６８°Ｆ／４％蒸気である場合、冷媒３０５の流れは、二次計量装置３９０を出るときに１２８ｐｓｉｇ／４４°Ｆ／１４％蒸気であり得る。
【００２７】
冷媒３０５は、Ｒ４１０ａなどの任意の適切な冷媒であり得る。概して、除湿システム３００は、コンプレッサ３６０から、一次コンデンサ３３０、（オプションで）サブクーリングコイル３５０、一次計量装置３８０、二次エバポレータ３４０、二次コンデンサ３２０、二次計量装置３９０、および一次エバポレータ３１０を通過する冷媒３０５の閉冷却ループ（closed  refrigeration  loop）を利用する。コンプレッサ３６０は、冷媒３０５の流れを加圧し、それによって冷媒３０５の温度を上昇させる。任意の適当な熱交換器を含み得る一次コンデンサ３３０および二次コンデンサ３２０は、冷媒３０５の流れからそれらを通過するそれぞれの空気流（すなわち、第４の空気流３５５および第２の空気流３１５）への熱伝達を促進することによって、冷媒３０５の加圧された流れを冷却する。一次および二次コンデンサ３３０および３２０を出る冷却された冷媒３０５の流れは、冷媒３０５の流れの圧力を減少させるように動作可能なそれぞれの膨張装置（すなわち、一次計量装置３８０および二次計量装置３９０）に入ることができ、それによって冷媒３０５の流れの温度を減少させる。任意の適切な熱交換器を含み得る一次エバポレータ３１０および二次エバポレータ３４０は、二次計量装置３９０および一次計量装置３８０それぞれから冷媒３０５の流れを受ける。一次エバポレータ３１０および二次エバポレータ３４０は、それらを通過するそれぞれの気流（すなわち、吸入空気１０１および第１の空気流３４５）から冷媒３０５の流れへの熱の伝達を促進する。冷媒３０５の流れは、一次エバポレータ３１０を出た後、コンプレッサ３６０に戻り、サイクルが繰り返される。
【００２８】
特定の実施形態では、上述の冷却ループは、エバポレータ３１０および３４０が寝込み状態（flooded  state）で動作するように構成され得る。換言すれば、冷媒３０５の流れは、液体状態でエバポレータ３１０および３４０に入り得、冷媒３０５の流れの一部は、それがエバポレータ３１０および３４０を出るときに、依然として液体状態であり得る。従って、冷媒３０５の流れの相変化（熱が冷媒３０５の流れに伝達されるにつれて、液体から蒸気へ）が、エバポレータ３１０および３４０にわたって生じ、その結果、エバポレータ３１０および３４０全体にわたって圧力および温度がほぼ一定になる（そして、その結果、冷却能力が増大する）。除湿システム３００の例示の実施形態の動作において、吸入空気１０１は、ファン３７０によって除湿システム３００に吸引される。吸入空気１０１は、吸入空気１０１から二次エバポレータ３４０を通過する冷媒３０５の冷たい流れに熱が伝達される二次エバポレータ３４０を通過する。その結果、吸入空気１０１は冷却され得る。例として、吸入空気１０１が８０°Ｆ／６０％湿度の場合、二次エバポレータ３４０は、７０°Ｆ／８４％湿度で第１の空気流３４５を排出し得る。これにより、冷媒３０５の流れが、二次エバポレータ３４０内で部分的に蒸発し得る。例えば、二次エバポレータ３４０に入る冷媒３０５の流れが１９６ｐｓｉｇ／６８°Ｆ／５％蒸気である場合、冷媒３０５の流れは、二次エバポレータ３４０を出るときに１９６ｐｓｉｇ／６８°Ｆ／３８％蒸気であり得る。
【００２９】
冷却された吸入空気１０１は、第１の空気流３４５として二次エバポレータ３４０を離れ、一次エバポレータ３１０に入る。二次エバポレータ３４０と同様に、一次エバポレータ３１０は、第１の空気流３４５から一次エバポレータ３１０を通過する冷媒３０５の冷たい流れに熱を伝達する。その結果、第１の空気流３４５は、その露点温度まで、またはそれより下まで冷却され、第１の空気流３４５内の水分を凝縮させる（それによって、第１の空気流３４５の絶対湿度を減少させる）。一例として、第１の空気流３４５が７０°Ｆ／８４％湿度である場合、一次エバポレータ３１０は、５４°Ｆ／９８％湿度で第２の空気流３１５を排出し得る。これは、冷媒３０５の流れを一次エバポレータ３１０内で部分的または完全に蒸発させ得る。例えば、一次エバポレータ３１０に入る冷媒３０５の流れが１２８ｐｓｉｇ／４４°Ｆ／１４％蒸気である場合、冷媒３０５の流れは、一次エバポレータ３１０を出るときに１２８ｐｓｉｇ／５２°Ｆ／１００％蒸気であり得る。特定の実施形態では、第１の空気流３４５からの液体凝縮物（liquid  condensate）は、図４に示すように、凝縮物リザーバ（condensate  reservoir）に接続されたドレンパンで集められ得る。加えて、凝縮物リザーバは、収集された凝縮物を除湿システム３００から（例えば、ドレンホースを介して）適切な排水または貯蔵場所へ連続的にまたは周期的な間隔で移動させる凝縮物ポンプを含み得る。
【００３０】
冷却された第１の空気流３４５は、第２の空気流３１５として一次エバポレータ３１０を離れ、二次コンデンサ３２０に入る。二次コンデンサ３２０は、二次コンデンサ３２０を通過する熱い冷媒３０５の流れから第２の空気流３１５への熱伝達を促進する。これは、第２の空気流３１５を再加熱し、それによって、第２の空気流３１５の相対湿度を低下させる。例として、第２の空気流３１５が５４°Ｆ／９８％湿度である場合、二次コンデンサ３２０は、６５°Ｆ／６８％湿度で第３の空気流３２５を排出し得る。これは、冷媒３０５の流れを、二次コンデンサ３２０内で部分的または完全に凝縮させ得る。例えば、二次コンデンサ３２０に入る冷媒３０５の流れが１９６ｐｓｉｇ／６８°Ｆ／３８％蒸気である場合、冷媒３０５の流れは、二次コンデンサ３２０を出るときに１９６ｐｓｉｇ／６８°Ｆ／４％蒸気であり得る。
【００３１】
いくつかの実施形態では、除湿された第２の空気流３１５は、第３の空気流３２５として二次コンデンサ３２０を出て、一次コンデンサ３３０に入る。一次コンデンサ３３０は、一次コンデンサ３３０を通過する熱い冷媒３０５の流れから第３の空気流３２５への熱伝達を促進する。これは、第３の空気流３２５をさらに加熱し、それにより、第３の空気流３２５の相対湿度をさらに低下させる。例として、第３の空気流３２５が６５°Ｆ／６８％湿度である場合、二次コンデンサ３２０は、１０２°Ｆ／１９％湿度で除湿空気１０６を排出し得る。これは、冷媒３０５の流れを一次コンデンサ３３０内で部分的または完全に凝縮させ得る。例えば、一次コンデンサ３３０に入る冷媒３０５の流れが３４０ｐｓｉｇ／１５０°Ｆ／１００％蒸気である場合、冷媒３０５の流れは、一次コンデンサ３３０を出るときに３４０ｐｓｉｇ／１０５°Ｆ／６０％蒸気であり得る。
【００３２】
上述のように、除湿システム３００のいくつかの実施形態は、二次コンデンサ３２０と一次コンデンサ３３０との間の空気流にサブクーリングコイル３５０を含み得る。サブクーリングコイル３５０は、サブクーリングコイル３５０を通過する熱い冷媒３０５の流れから第３の空気流３２５への熱伝達を促進する。これは、第３の空気流３２５をさらに加熱し、それにより、第３の空気流３２５の相対湿度がさらに低下させる。一例として、第３の空気流３２５が６５°Ｆ／６８％湿度である場合、サブクーリングコイル３５０は、８１°Ｆ／３７％湿度で第４の空気流３５５を排出し得る。これは、冷媒３０５の流れを冷却用サブコイル３５０内で部分的または完全に凝縮させ得る。例えば、サブクーリングコイル３５０に入る冷媒３０５の流れが３４０ｐｓｉｇ／１５０°Ｆ／６０％蒸気である場合、冷媒３０５の流れは、それがサブクーリングコイル３５０を出るときに３４０ｐｓｉｇ／８０°Ｆ／０％蒸気であり得る。
【００３３】
除湿システム３００のいくつかの実施形態は、１つまたは複数の場所の１つまたは複数のコンピュータシステムを含み得るコントローラを含み得る。各コンピュータシステムは、任意の適切な入力デバイス（キーパッド、タッチスクリーン、マウス、または情報を受け入れることができる他のデバイスなど）、出力デバイス、大容量記憶媒体、またはデータの受信、処理、記憶、および通信するためのその他の適切なコンポーネントを含み得る。入力デバイスおよび出力デバイスの双方は、磁気コンピュータディスク、CD-ROM、またはユーザからの入力を受けかつユーザに出力を提供するための他の適切な媒体などの固定またはリムーバブル記憶媒体を含み得る。各コンピュータシステムは、パーソナルコンピュータ、ワークステーション、ネットワークコンピュータ、キオスク、無線データポート、パーソナルデータアシスタント（ＰＤＡ）、これらまたは他の装置内の１つまたは複数のプロセッサ、または任意の他の適切な処理装置を含み得る。要するに、コントローラは、ソフトウェア、ファームウェア、およびハードウェアの任意の適切な組み合わせを含み得る。コントローラは、１つまたは複数の処理モジュールを追加的に含み得る。各処理モジュールは、各々、１つまたは複数のマイクロプロセッサ、コントローラ、または任意の他の適切な計算装置若しくはリソースを含み得、単独でまたは除湿システム３００の他の構成要素と共に機能して、本明細書に記載の機能の一部または全部を提供し得る。コントローラは、追加的にコンピュータメモリを含み得る（またはコンピュータメモリに無線または有線通信を介して通信可能に結合され得る）。メモリは、任意のメモリまたはデータベースモジュールを含み得、磁気媒体、光学媒体、ランダムアクセスメモリ（ＲＡＭ）、リードオンリメモリ（ＲＯＭ）、リムーバブル媒体、または任意の他の適切なローカルまたはリモートメモリ構成要素を含むがこれらに限定されない揮発性または不揮発性メモリの形態を取り得る。
【００３４】
除湿システム３００の特定の実装が、図示されるとともに主に説明されるが、本開示は、特定の必要性に応じて、除湿システム３００の任意の適切な実装を企図している。さらに、除湿システム３００の種々の構成要素が、特定の位置に位置し、互いに相対的に位置するものとして示されてきたが、本開示は、特定のニーズに従って、これらの構成要素が任意の適切な位置に配置されることを企図している。
【００３５】
図５は、構造１０２内の空気の湿度を低減するために、図１および図２の除湿システム１００およびポータブル除湿システム２００によって使用され得る例示的な除湿方法５００を示す。方法５００は、二次エバポレータが吸入空気流を受け、第１の空気流を排出するステップ５１０で始まり得る。いくつかの実施形態において、二次エバポレータは、二次エバポレータ３４０である。いくつかの実施形態では、吸入空気流は吸入空気１０１であり、第１の空気流は第１の空気流３４５である。いくつかの実施形態では、ステップ５１０の二次エバポレータは、一次計量装置３８０のような一次計量装置から冷媒の流れを受け、二次コンデンサ３２０のような二次コンデンサに冷媒の流れを（変化した状態で）供給する。いくつかの実施形態では、方法５００の冷媒の流れは、上述の冷媒３０５の流れである。
【００３６】
ステップ５２０において、一次エバポレータは、ステップ５１０の第１の空気流を受け、第２の空気流を排出する。いくつかの実施形態において、一次エバポレータは、一次エバポレータ３１０であり、第２の空気流は、第２の空気流３１５である。いくつかの実施形態において、ステップ５２０の一次エバポレータは、二次計量装置３９０のような二次計量装置から冷媒の流れを受け、コンプレッサ３６０のようなコンプレッサに冷媒の流れを（変化した状態で）供給する。
【００３７】
ステップ５３０において、二次コンデンサは、ステップ５２０の第２の空気流を受け、第３の空気流を排出する。いくつかの実施形態において、二次コンデンサは、二次コンデンサ３２０であり、第３の空気流は、第３の空気流３２５である。いくつかの実施形態では、ステップ５３０の二次コンデンサは、ステップ５１０の二次エバポレータから冷媒の流れを受け、二次計量装置３９０のような二次計量装置に冷媒の流れを（変化した状態で）供給する。ステップ５４０において、一次コンデンサは、ステップ５３０の第３の空気流を受け、除湿空気流を排出する。いくつかの実施形態では、一次コンデンサは、一次コンデンサ３３０であり、除湿空気流は除湿空気１０６である。いくつかの実施形態では、ステップ５４０の一次コンデンサは、ステップ５２０のコンプレッサから冷媒の流れを受け、ステップ５１０の一次計量装置に冷媒の流れを（変化した状態で）供給する。代替実施形態では、ステップ５４０の一次コンデンサは、冷媒の流れを（変化した状態で）ステップ５１０の一次計量装置に供給するサブクーリングコイル３５０のようなサブクーリングコイルに冷媒の流れを（変化した状態で）供給する。
【００３８】
ステップ５５０において、コンプレッサは、ステップ５２０の一次エバポレータから冷媒の流れを受け、ステップ５４０の一次コンデンサに冷媒の流れを（変化した状態で）供給する。ステップ５５０の後、方法５００は終了し得る。
【００３９】
特定の実施形態は、該当する場合、図５の方法５００の１つまたは複数のステップを繰り返し得る。本開示は、特定の順序で生じる図５の方法の特定のステップを記載し、説明しているが、本開示は、任意の適切な順序で生じる図５の方法の任意の適切なステップを企図している。さらに、本開示は、図５の方法の特定のステップを含む構造内の空気の湿度を減らすための例示の除湿方法を記載し、説明しているが、本開示は、該当する場合、図５の方法のすべてのステップを含み得る、いくつかのステップを含み得る、またはいずれのステップも含まないことができる、任意の適切なステップを含む、構造内の空気の湿度を低減するための任意の適切な方法を企図している。さらに、本開示は、図５の方法の特定のステップを実行する特定の構成要素、装置、またはシステムを記載し、説明しているが、本開示は、図５の方法の任意の適切なステップを実行する任意の適切な構成要素、装置、またはシステムの任意の適切な組み合わせを企図している。
【００４０】
図５の例示的な方法は、図３の除湿システム３００に関して上記の時に説明されているが、同じまたは類似の方法が（以下に記載される）図６の除湿システム６００および８００を含む、本明細書に記載の除湿システムのいずれかを用いて実施されることができることが理解されるべきである。さらに、図５の例示の方法に関して、エバポレータまたはコンデンサへの言及は、例えば、図９および１０の例に関して上述したように、これらの構成要素の機能を実行するように動作可能な単一のコイルパックのエバポレータ部分またはコンデンサ部分を指すことができることが理解されるべきである。
【００４１】
図６は、構造１０２内の空気の湿度を低減するために、図１の分離除湿システム１００に従って使用され得る例示的な除湿システム６００を示す。除湿システム６００は、一般に屋内にある除湿ユニット６０２と、コンデンサシステム６０４（例えば、図１のコンデンサシステム１０８）とを含む。除湿ユニット６０２は、一次エバポレータ６１０と、二次エバポレータ６４０と、二次コンデンサ６２０と、一次計量装置６８０と、二次計量装置６９０と、第１のファン６７０とを含み、一方、コンデンサシステム６０４は、一次コンデンサ６３０と、コンプレッサ６６０と、オプションのサブクーリングコイル６５０と、第２のファン６９５とを含む。
【００４２】
冷媒６０５の流れは図示のように除湿システム６００を通って循環される。概して、除湿ユニット６０２は、吸入空気流６０１を受け、吸入空気流６０１から水を除去し、除湿空気６２５を空調スペース（conditioned  space）に排出する。水が流入空気６０１から冷媒６０５の流れの冷却サイクルを使用して除去される。図６のシステム６００を通る冷媒６０５の流れは、図３の除湿システム３００を通る冷媒３０５の流れと同様の方法で進行する。しかし、本明細書に記載されるように、システム６００を通る空気流の経路は、システム３００を通るものとは異なる。しかし、二次エバポレータ６４０および二次コンデンサ６２０を含むことによって、除湿システム６００は、冷媒６０５の流れの少なくとも一部を、１回の冷却サイクルで２回蒸発および凝縮させる。これは、コンプレッサへの追加の電力を必要とせずに、典型的なシステムにわたって冷却能力を増加させ、それによって、システムの全体的な効率を増加させる。
【００４３】
除湿ユニット６０２およびコンデンサシステム６０４を含むシステム６００の分離構成は、冷却および除湿プロセスからの熱が、屋外または空調されていないスペース（unconditioned  space）（例えば、除湿されている空間の外部）に捨てられることを可能にする。これは、除湿システム６００が典型的な中央空調システムやヒートポンプの設置面積と同様の設置面積を有することを可能にする。概して、システム６００から空調スペースに排出される第３の空気流６２５の温度は、図３のシステム３００から排出される空気流１０６の温度と比較して、大幅に低下する。したがって、システム６００の構成は、除湿空気が下がった温度で空調スペースに供給されることを可能にする。従って、システム６００は、除湿機（空気を除湿する）および中央空調機（空気を冷却する）の両方の機能を実行し得る。
【００４４】
概して、除湿システム６００は、二次エバポレータ６４０の飽和温度をコンデンサ６２０の飽和温度に合わせようと試みる。二次エバポレータ６４０および二次コンデンサ６２０の飽和温度は、概して、（吸入空気６０１の温度＋第２の空気流６１５の温度）／２の式に従って制御される。二次エバポレータ６４０の飽和温度は吸入空気６０１よりも低いので、蒸発が二次エバポレータ６４０で起こる。二次コンデンサ６２０の飽和温度は、第２の空気流６１５よりも高いので、凝縮が二次コンデンサ６２０で生じる。二次エバポレータ６４０内で蒸発する冷媒６０５の量は、二次コンデンサ６２０内で凝縮する量と実質的に等しい。一次エバポレータ６１０は、二次計量装置６９０から冷媒６０５の流れを受け、コンプレッサ６６０へ冷媒６０５の流れを排出する。一次エバポレータ６１０は、任意のタイプのコイル（例えば、フィンチューブ、マイクロチャネルなど）であり得る。一次エバポレータ６１０は、二次エバポレータ６４０から第１の空気流６４５を受け、第２の空気流６１５を二次コンデンサ６２０に排出する。第２の空気流６１５は、概して、第１の空気流６４５よりも低い温度である。入ってくる第１の空気流６４５を冷却するために、一次エバポレータ６１０は、第１の空気流６４５から冷媒６０５の流れに熱を伝達し、それによって、冷媒６０５の流れを少なくとも部分的に液体から気体に蒸発させる。第１の空気流６４５から冷媒６０５の流れへのこの熱の伝達はまた、第１の空気流６４５から水を除去する。
【００４５】
二次コンデンサ６２０は、二次エバポレータ６４０から冷媒６０５の流れを受け、二次計量装置６９０へ冷媒６０５の流れを排出する。二次コンデンサ６２０は、任意のタイプのコイル（例えば、フィンチューブ、マイクロチャネルなど）であり得る。二次コンデンサ６２０は、一次エバポレータ６１０から第２の空気流６１５を受け、第３の空気流６２５を排出する。第３の空気流６２５は、概して、第２の空気流６１５より暖かく、乾燥している（すなわち、露点は同じであるが、相対湿度は低い）。二次コンデンサ６２０は、冷媒６０５の流れから第２の空気流６１５に熱を伝達することによって第３の空気流６２５を生成し、それによって冷媒６０５の流れを少なくとも部分的に気体から液体に凝縮させる。上述のように、第３の空気流６２５は、空調スペースに排出される。他の実施形態では（例えば、図８に示されるように）、第３の空気流６２５は、まず、さらに相対湿度が低下した状態で空調スペースに排出される前に、サブクーリングコイル６５０を通過するおよび／またはサブクーリングコイル６５０を通り越す（pass  through  and/or  over  sub-cooling  coil）。
【００４６】
冷媒６０５は、コンデンサシステム６０４のコンプレッサ６６０へ屋外または空調されていないスペースに流れる。コンプレッサ６６０は、冷媒６０５の流れを加圧し、それによって、冷媒６０５の温度を上昇させる。例えば、コンプレッサ６６０に入る冷媒６０５の流れが１２８ｐｓｉｇ／５２°Ｆ／１００％蒸気である場合、冷媒６０５の流れは、コンプレッサ６６０を出るときに３４０ｐｓｉｇ／１５０°Ｆ／１００％蒸気であり得る。コンプレッサ６６０は、一次エバポレータ６１０から冷媒６０５の流れを受け、加圧された冷媒６０５の流れを一次コンデンサ６３０に供給する。
【００４７】
一次コンデンサ６３０は、コンプレッサ６６０から冷媒６０５の流れを受け、サブクーリングコイル６５０へ冷媒６０５の流れを排出する。一次コンデンサ６３０は、任意のタイプのコイル（例えば、フィンチューブ、マイクロチャネルなど）であり得る。一次コンデンサ６３０およびサブクーリングコイル６５０は、第１の屋外空気流６０６を受け、第２の屋外空気流６０８を排出する。第２の屋外空気流６０８は、概して、第１の屋外空気流６０６より温かい（すなわち、より低い相対湿度を有する）。一次コンデンサ６３０は、冷媒６０５の流れから熱を伝達し、それによって、冷媒６０５の流れを、少なくとも部分的に、気体から液体へ凝縮させる。いくつかの実施形態において、一次コンデンサ６３０は、冷媒６０５の流れを液体に完全に凝縮する（すなわち、１００％液体）。他の実施形態では、一次コンデンサ６３０は、冷媒６０５の流れを液体に部分的に凝縮する（すなわち１００％未満の液体）。
【００４８】
除湿システム６００のオプションの構成要素であるサブクーリングコイル６５０は、液体冷媒６０５が一次コンデンサ６３０を出る際に、それをサブクールする。これは、次に、一次計量装置６８０に、それがサブクーリングコイル６５０に入る前より３０度（またはそれ以上）冷たい液体冷媒を供給する。たとえば、サブクーリングコイル６５０に入る冷媒６０５の流れが３４０ｐｓｉｇ／１０５°Ｆ／６０％蒸気である場合、冷媒６０５の流れは、それがサブクーリングコイル６５０を出るとき、３４０ｐｓｉｇ／８０°Ｆ／０％蒸気であり得る。サブクールされた冷媒６０５は、より大きい熱エンタルピー係数並びにより大きい密度を有し、これにより、気流とエバポレータとの間のエネルギ伝達が改善され、冷媒６０５からさらなる潜熱が除去される。これは、さらに、除湿システム６００のより高い効率およびより少ないエネルギ消費をもたらす。除湿システム６００の実施形態は、サブクーリングコイル６５０を含んでも含まなくてもよい。
【００４９】
特定の実施形態では、サブクーリングコイル６５０および一次コンデンサ６３０は、単一のコイルに統合される。このような単一のコイルは、空気流６０６および６０８並びに冷媒６０５の流れのための適切な回路を含む。単一のコイルコンデンサおよびサブクーリングコイルを有するコンデンサシステム６０４の例示的な例が、図７に示されている。単一ユニットコイルは、コンデンサに対応する内部チューブ７１０およびサブクーリングコイルに対応する外部チューブ７０５を有する。冷媒は、外部チューブ７０５を通って流れる前に、内部チューブ７１０を通って導かれ得る。図７に示す例では、空気流がファン６９５によって単一ユニットコイルを通って引き込まれ、上方に排出される。しかし、他の実施形態のコンデンサシステムは、コンデンサ、コンプレッサ、オプションのサブクーリングコイル、および当技術分野で知られている他の構成のファンを含むことができることが理解されるべきである。
【００５０】
二次エバポレータ６４０は、一次計量装置６８０から冷媒６０５の流れを受け、二次コンデンサ６２０へ冷媒６０５の流れを排出する。二次エバポレータ６４０は、任意の種類のコイル（例えば、フィンチューブ、マイクロチャネルなど）であり得る。二次エバポレータ６４０は、吸入空気６０１を受け、第１の空気流６４５を一次エバポレータ６１０に排出する。第１の空気流６４５は、概して、吸入空気６０１よりも低温である。入ってくる吸入空気６０１を冷却するために、二次エバポレータ６４０は吸入空気６０１から冷媒６０５の流れへ熱を伝達し、それによって冷媒６０５の流れを少なくとも部分的に液体から気体に蒸発させる。
【００５１】
ファン６７０は、吸入空気６０１を除湿ユニット６０２内に、また二次エバポレータ６４０、一次エバポレータ６１０、および二次コンデンサ６２０を通って吸引するように動作可能な任意の適切な構成要素を含み得る。ファン６７０は、任意のタイプの送風機（例えば、軸流ファン、前傾羽根車、後傾羽根車など）であり得る。例えば、ファン６７０は、二次コンデンサ６２０に隣接して配置された後方傾斜羽根車であり得る。
【００５２】
図６には、ファン６７０がコンデンサ６２０に隣接して配置されているように示されているが、ファン６７０は、除湿ユニット６０２の空気流路に沿ったどこに配置されてもよいことが理解されるべきである。例えば、ファン６７０は、空気流６０１、６４５、６１５、または６２５のいずれか１つの空気流経路に位置し得る。さらに、除湿ユニット６０２は、これらの空気流経路のいずれか１つまたは複数内に配置された１つまたは複数の追加ファンを含み得る。同様に、コンデンサシステム６０４のファン６９５は、一次コンデンサ６３０の上に位置するものとして図６に示されているが、ファン６９５は、ファン６９５が一次コンデンサ６３０およびサブクーリングコイル６５０に向かう空気流６０６の流れを促進するように適切に配置され且つ構成され限り、コンデンサ６３０およびサブクーリングコイル６５０に対して任意の場所（例えば、上方、下方、横方）に位置し得る。
【００５３】
ファン６７０によって生成される空気流の速度（rate）は、ファン６９５によって生成されるものとは異なり得る。例えば、ファン６９５によって生成される空気流６０６の流量（flow  rate）は、ファン６７０によって生成される空気流６０１の流量よりも高くなり得る。流量のこの差は、本明細書に記載される除湿システムにいくつかの利点を提供し得る。例えば、ファン６９５によって生成される大きい空気流は、コンデンサシステム６０４のサブクーリングコイル６５０および一次コンデンサ６３０における改善された熱伝達を提供し得る。概して、第２のファン６９５によって生成される空気流の速度は、第１のファン６７０によって生成される空気流の速度の約２倍から５倍の間である。例えば、第１のファン６７０によって生成される空気流の速度は、約２００〜４００立方フィート毎分（ｃｆｍ）であり得る。例えば、第２のファン６９５によって生成される空気流の速度は、約９００〜１２００立方フィート毎分（ｃｆｍ）であり得る。
【００５４】
一次計量装置６８０および二次計量装置６９０は、任意の適切なタイプの計量／膨張装置である。いくつかの実施形態では、一次計量装置６８０は、サーモスタット膨張弁であり、二次計量装置６９０は、固定オリフィス装置である（またはその逆である）。特定の実施形態では、計量装置６８０および６９０は、冷媒６０５の流れから圧力を除去し、エバポレータ６１０および６４０内における液体から蒸気への膨張または状態の変化を可能にする。計量装置６８０および６９０に入る高圧液体（またはほとんど液体の）冷媒は、計量装置６８０および６９０を出る液体冷媒６０５よりも高い温度にある。例えば、一次計量装置６８０に入る冷媒６０５の流れが３４０ｐｓｉｇ／８０°Ｆ／０％蒸気である場合、冷媒６０５の流れは、一次計量装置６８０を出るとき、１９６ｐｓｉｇ／６８°Ｆ／５％蒸気であり得る。別の例として、二次計量装置６９０に入る冷媒６０５の流れが１９６ｐｓｉｇ／６８°Ｆ／４％蒸気である場合、冷媒６０５の流れは、二次計量装置６９０を出るとき、１２８ｐｓｉｇ／４４°Ｆ／１４％蒸気であり得る。
【００５５】
特定の実施形態では、二次計量装置６９０は、計量装置６９０に入る冷媒６０５の圧力が、計量装置６９０を出る冷媒６０５の圧力と実質的に同じになるように、実質的に開放状態（open  state）（本明細書では「全開（fully  open）」状態と呼ぶ）で動作する。例えば、冷媒６０５の圧力は、計量装置６９０に入る冷媒６０５の圧力の８０％、９０％、９５％、９９％、または１００％までであり得る。二次計量装置６９０が「全開」状態で動作する状態では、一次計量装置６８０が、除湿システム６００における圧力降下の一次源（primary  source）である。この構成では、空気流６１５は、それが二次コンデンサ６２０を通過するとき、実質的に加熱されず、二次エバポレータ６４０、一次エバポレータ６１０、および二次コンデンサ６２０は、単一のエバポレータとして効果的に作用する。二次計量装置６９０が「全開」状態で動作するとき、空気流６０１から除去される水が少なくなり得るが、二次計量装置６９０が「全開」状態でないときよりも低い温度で、空気流６０６が空調スペースに排出される。この構成は、除湿システム６００がセントラル空調機によって生成される空気流のものと同様の特性を有する冷たい空気流６２５を生成することができるような比較的高い顕熱比（ＳＨＲ）動作モードに対応する。空気流６０１の速度が閾値まで増加される場合（例えば、除湿システム６００のファン６７０または１つまたは複数の他のファンの速度を増加させることによって）、除湿システム６００は、空気流６０１から水を除去することなしに顕熱冷却（sensible  cooling）を行い得る。
【００５６】
冷媒６０５は、Ｒ４１０ａのような任意の適切な冷媒であり得る。概して、除湿システム６００は、コンプレッサ６６０から一次コンデンサ６３０、（オプションで）サブクーリングコイル６５０、一次計量装置６８０、二次エバポレータ６４０、二次コンデンサ６２０、二次計量装置６９０、および一次エバポレータ６１０を通過する冷媒６０５の閉冷却ループを利用する。コンプレッサ６６０は、冷媒６０５の流れを加圧し、それによって冷媒６０５の温度を上昇させる。任意の適切な熱交換器を含み得る一次コンデンサ６３０および二次コンデンサ６２０は、冷媒６０５の流れからそれらを通過するそれぞれの空気流（すなわち、第１の屋外空気流６０６および第２の空気流６１５）への熱伝達を促進することによって、冷媒６０５の加圧された流れを冷却する。一次および二次コンデンサ６３０および６２０を出る冷却された冷媒６０５の流れは、冷媒６０５の流れの圧力を低下させるように動作可能なそれぞれの膨張装置（すなわち、一次計量装置６８０および二次計量装置６９０）に入ることができ、それによって冷媒６０５の流れの温度を低下させる。任意の適切な熱交換器を含み得る一次エバポレータ６１０および二次エバポレータ６４０は、二次計量装置６９０および一次計量装置６８０それぞれから冷媒６０５の流れを受ける。一次および二次エバポレータ６１０および６４０は、それらを通過するそれぞれの気流（すなわち、吸入空気６０１および第１の空気流６４５）から冷媒６０５の流れへの熱の伝達を促進する。冷媒６０５の流れは、一次エバポレータ６１０を出た後、コンプレッサ６６０に戻り、サイクルが繰り返される。
【００５７】
特定の実施形態では、上述の冷却ループは、エバポレータ６１０および６４０が寝込み状態で動作するように構成され得る。換言すれば、冷媒６０５の流れは、液体状態でエバポレータ６１０および６４０に入り得、冷媒６０５の流れの一部は、それがエバポレータ６１０および６４０を出る際に、依然として液体状態であり得る。従って、冷媒６０５の流れの相変化（冷媒６０５の流れに熱が伝達されるにつれて、液体から蒸気へ）が、エバポレータ６１０および６４０にわたって生じ、その結果、エバポレータ６１０および６４０全体にわたって圧力および温度がほぼ一定になる（そして、その結果、冷却容量が増大する）。除湿システム６００の例示の実施形態の動作において、吸入空気６０１は、ファン６７０によって除湿システム６００内に吸引され得る。吸入空気６０１は、吸入空気６０１から二次エバポレータ６４０を通過する冷媒６０５の冷たい流れに熱が伝達される二次エバポレータ６４０を通過する。その結果、吸入空気６０１は冷却され得る。一例として、吸入空気６０１が８０°Ｆ／６０％湿度である場合、二次エバポレータ６４０は、７０°Ｆ／８４％湿度で第１の空気流６４５を排出し得る。これは、冷媒６０５の流れを二次エバポレータ６４０内で部分的に蒸発させ得る。例えば、二次エバポレータ６４０に入る冷媒６０５の流れが１９６ｐｓｉｇ／６８°Ｆ／５％蒸気である場合、冷媒６０５の流れは、二次エバポレータ６４０を出るときに、１９６ｐｓｉｇ／６８°Ｆ／３８％蒸気であり得る。
【００５８】
冷却された吸入空気６０１は、第１の空気流６４５として二次エバポレータ６４０を離れ、一次エバポレータ６１０に入る。二次エバポレータ６４０と同様に、一次エバポレータ６１０は、第１の空気流６４５から一次エバポレータ６１０を通過する冷媒６０５の冷たい流れに熱を伝達する。その結果、第１の空気流６４５は、その露点温度まで、またはそれより下に冷却され、第１の空気流６４５内の水分を凝縮させる（それによって、第１の空気流６４５の絶対湿度を減少させる）。一例として、第１の空気流６４５が７０°Ｆ／８４％湿度である場合、一次エバポレータ６１０は、５４°Ｆ／９８％湿度で第２の空気流６１５を排出し得る。これは、冷媒６０５の流れを一次エバポレータ６１０内で部分的または完全に蒸発させ得る。例えば、一次エバポレータ６１０に入る冷媒６０５の流れが１２８ｐｓｉｇ／４４°Ｆ／１４％蒸気である場合、冷媒６０５の流れは、一次エバポレータ６１０を出るときに１２８ｐｓｉｇ／５２°Ｆ／１００％蒸気であり得る。特定の実施形態では、図４に示すように、第１の空気流６４５からの液体凝縮物は、凝縮物リザーバに接続されたドレンパンに収集され得る。加えて、凝縮物リザーバは、収集された凝縮物を除湿システム６００から（例えば、ドレンホースを介して）適切な排水または貯蔵場所へ連続的または周期的な間隔で移動させる凝縮物ポンプを含み得る。
【００５９】
冷却された第１の空気流６４５は、第２の空気流６１５として一次エバポレータ６１０を離れ、二次コンデンサ６２０に入る。二次コンデンサ６２０は、二次コンデンサ６２０を通過する熱い冷媒６０５の流から第２の空気流６１５への熱伝達を促進する。これは、第２の空気流６１５を再加熱し、それによって、第２の空気流６１５の相対湿度を減少させる。一例として、第２の空気流６１５が５４°Ｆ／９８％湿度である場合、二次コンデンサ６２０は、６５°Ｆ／６８％湿度で除湿空気流６２５を排出し得る。これは、冷媒６０５の流れを二次コンデンサ６２０内で部分的にまたは完全に凝縮させ得る。例えば、二次コンデンサ６２０に入る冷媒６０５の流れが１９６ｐｓｉｇ／６８°Ｆ／３８％蒸気である場合、冷媒６０５の流れは、二次コンデンサ６２０を出るときに１９６ｐｓｉｇ／６８°Ｆ／４％蒸気であり得る。いくつかの実施形態では、第２の空気流６１５は、除湿空気流６２５として二次コンデンサ６２０を出て、空調スペースに排出される。
【００６０】
一次コンデンサ６３０は、一次コンデンサ６３０を通過する熱い冷媒６０５の流れから第１の屋外空気流６０６への熱伝達を促進する。これは、第２の屋外空気流６０８として空調されていないスペース（例えば、屋外）に排出される屋外空気流６０６を加熱する。一例として、第１の屋外空気流６０６が６５°Ｆ／６８％湿度である場合、一次コンデンサ６３０は、１０２°Ｆ／１９％湿度で第２の屋外空気流６０８を排出し得る。これは、冷媒６０５の流れを、一次コンデンサ６３０内で部分的または完全に凝縮させ得る。例えば、一次コンデンサ６３０に入る冷媒６０５の流れが、３４０ｐｓｉｇ／１５０°Ｆ／１００％蒸気である場合、冷媒６０５の流れは、一次コンデンサ６３０を出るとき、３４０ｐｓｉｇ／１０５°Ｆ／６０％蒸気であり得る。上述のように、除湿システム６００のいくつかの実施形態は、コンデンサシステム６０４の入口と一次コンデンサ６３０との間の空気流に、サブクーリングコイル６５０を含み得る。サブクーリングコイル６５０は、サブクーリングコイル６５０を通過する熱い冷媒６０５の流れから第１の屋外空気流６０６への熱伝達を促進する。これは、第１の屋外空気流６０６を加熱し、それによって、第１の屋外空気流６０６の温度を上昇させる。一例として、第１の屋外空気流６０６が６５°Ｆ／６８％湿度である場合、サブクーリングコイル６５０は、８１°Ｆ／３７％湿度で空気流を排出し得る。これは、冷媒６０５の流れをサブクーリングコイル６５０内で部分的または完全に凝縮させ得る。例えば、サブクーリングコイル６５０に入る冷媒６０５の流れが３４０ｐｓｉｇ／１５０°Ｆ／６０％蒸気である場合、冷媒６０５の流れは、それがサブクーリングコイル６５０を出るときに３４０ｐｓｉｇ／８０°Ｆ／０％蒸気であり得る。
【００６１】
図６に示される実施形態では、サブクーリングコイル６５０は、コンデンサシステム６０４内にある。この構成は、空調スペースに排出される第３の空気流６２５の温度を最小限に抑える。代替実施形態が、除湿ユニット８０２がサブクーリングコイル６５０を含む図８の除湿システム８００として示される。この実施形態では、空気流６２５は、まず、ファン６７０を介して空気流８５５として空調スペースに排出される前に、サブクーリングコイル６５０を通過する。本明細書に記載されるように、ファン６７０は、代替的には、除湿ユニット８０２内の空気流の経路に沿った任意の場所に配置されることができ、１つまたは複数の追加ファンが、除湿ユニット８０２に含まれることができる。
【００６２】
いかなる特定の理論にも拘束されることを望まないが、除湿システム８００の構成は、共通動作条件下で、図６の除湿システム６００の構成よりも、エネルギ効率が高いと考えられる。例えば、第３の空気流６２５の温度が外気温度（すなわち、空気流６０６の温度）よりも低い場合、冷媒６０５は、除湿ユニット８０２内に配置されたサブクーリングコイル６５０によって、より効果的に冷却またはサブクールされる。そのような操作条件は、例えば、暖かい気候の場所および／または夏の間に一般的であり得る。特定の実施形態では、室内ユニット８０２はまた、例えば、二次エバポレータ６４０、一次エバポレータ６１０、および／または二次コンデンサ６２０の近くに配置され得るコンプレッサ６６０を含む（構成は示されていない）。
【００６３】
除湿システム８００の例示的な実施形態の動作において、吸入空気６０１は、ファン６７０によって除湿システム８００内に吸引され得る。吸入空気６０１は、吸入空気６０１から二次エバポレータ６４０を通過する冷たい冷媒６０５の流れに熱が伝達される二次エバポレータ６４０を通過する。結果として、吸入空気６０１は冷却され得る。例えば、吸入空気６０１が８０°Ｆ／６０％湿度の場合、二次エバポレータ６４０は、７０°Ｆ／８４％湿度で第１の空気流６４５を排出し得る。これは、冷媒６０５の流れを、二次エバポレータ６４０内で部分的に蒸発させ得る。例えば、二次エバポレータ６４０に流入する冷媒６０５の流れが１９６ｐｓｉｇ／６８°Ｆ／５％蒸気である場合、冷媒６０５の流れは、二次エバポレータ６４０を出るとき、１９６ｐｓｉｇ／６８°Ｆ／３８％蒸気であり得る。
【００６４】
冷却された吸入空気６０１は、第１の空気流６４５として二次エバポレータ６４０を出て、一次エバポレータ６１０に入る。二次エバポレータ６４０と同様に、一次エバポレータ６１０は、第１の空気流６４５から一次エバポレータ６１０を通過する冷たい冷媒６０５の流れに熱を伝達する。結果として、第１の空気流６４５は、その露点温度までまたはそれより下に冷却され得、第１の空気流６４５内の水分を凝縮させる（それによって、第１の空気流６４５の絶対湿度を減少させる）。一例として、第１の空気流６４５が７０°Ｆ／８４％湿度である場合、一次エバポレータ６１０は、５４°Ｆ／９８％湿度で第２の空気流６１５を排出し得る。これは、冷媒６０５の流れを、一次エバポレータ６１０内で部分的または完全に蒸発させる。例えば、一次エバポレータ６１０に入る冷媒６０５の流れが１２８ｐｓｉｇ／４４°Ｆ／１４％蒸気である場合、冷媒６０５の流れは、一次エバポレータ６１０を出るときに１２８ｐｓｉｇ／５２°Ｆ／１００％蒸気であり得る。特定の実施形態では、図４に示すように、第１の空気流６４５からの液体凝縮物は、凝縮物リザーバに接続されたドレンパンで収集され得る。加えて、凝縮物リザーバは、収集した凝縮物を除湿システム８００から（例えば、ドレンホースを介して）適切な排水または貯蔵場所へ連続的または周期的な間隔で移動させる凝縮物ポンプを含み得る。
【００６５】
冷却された第１の空気流６４５は、第２の空気流６１５として一次エバポレータ６１０を出て、二次コンデンサ６２０に入る。二次コンデンサ６２０は、二次コンデンサ６２０を通過する熱い冷媒６０５の流れから第２の空気流６１５への熱伝達を促進する。これは、第２の空気流６１５を再加熱し、それによって、第２の空気流６１５の相対湿度を減少させる。一例として、第２の空気流６１５が５４°Ｆ／９８％湿度である場合、二次コンデンサ６２０は、６５°Ｆ／６８％湿度で除湿空気流６２５を排出し得る。これは、冷媒６０５の流れを二次コンデンサ６２０内で部分的にまたは完全に凝縮させる。例えば、二次コンデンサ６２０に入る冷媒６０５の流れが１９６ｐｓｉｇ／６８°Ｆ／３８％蒸気である場合、冷媒６０５の流れは、それが二次コンデンサ６２０を出るとき、１９６ｐｓｉｇ／６８°Ｆ／４％蒸気であり得る。いくつかの実施形態において、第２の空気流６１５は、除湿空気流６２５として二次コンデンサ６２０を出て、空調スペースに排出される。
【００６６】
除湿空気流６２５は、サブクーリングコイル６５０を通過する熱い冷媒６０５の流れから除湿空気流６２５への熱伝達を促進するサブクーリングコイル６５０に入る。これは、除湿空気流６２５を加熱し、それによって、除湿空気流６２５の湿度をさらに低下させる。一例として、除湿空気流６２５が６５°Ｆ／６８％湿度である場合、サブクーリングコイル６５０は、８１°Ｆ／３７％湿度で空気流８５５を排出し得る。これは、冷媒６０５の流れをサブクーリングコイル６５０内で部分的にまたは完全に凝縮させる。例えば、サブクーリングコイル６５０に入る冷媒６０５の流れが３４０ｐｓｉｇ／１５０°Ｆ／６０％蒸気である場合、冷媒６０５の流れは、それがサブクーリングコイル６５０を出るとき、３４０ｐｓｉｇ／８０°Ｆ／０％蒸気であり得る。
【００６７】
一次コンデンサ６３０は、一次コンデンサ６３０を通過する熱い冷媒６０５の流れから第１の屋外空気流６０６への熱伝達を促進する。これは、第２の屋外空気流６０８として空調されていないスペースに排出される屋外空気流６０６を加熱する。一例として、第１の屋外空気流６０６が６５°Ｆ／６８％湿度である場合、一次コンデンサ６３０は、１０２°Ｆ／１９％湿度で第２の屋外空気流６０８を排出し得る。これは、冷媒６０５の流れを一次コンデンサ６３０内で部分的または完全に凝縮させ得る。例えば、一次コンデンサ６３０に入る冷媒６０５の流れが３４０ｐｓｉｇ／１５０°Ｆ／１００％蒸気である場合、冷媒６０５の流れは、一次コンデンサ６３０を出るとき、３４０ｐｓｉｇ／１０５°Ｆ／６０％蒸気であり得る。
【００６８】
図６および８の除湿システム６００および８００のいくつかの実施形態は、１つまたは複数の場所の１つまたは複数のコンピュータシステムを含み得るコントローラを含み得る。各コンピュータシステムは、任意の適切な入力デバイス（キーパッド、タッチスクリーン、マウス、または情報を受け入れることができる他のデバイスなど）、出力デバイス、大容量記憶媒体、またはデータを受信、処理、記憶、通信するための他の適切なコンポーネントを含み得る。入力デバイスおよび出力デバイスの両方は、磁気コンピュータディスク、CD-ROM、またはユーザからの入力を受け、ユーザに出力を提供するための他の適切な媒体などの固定又は取り外し可能な記憶媒体を含み得る。各コンピュータシステムは、パーソナルコンピュータ、ワークステーション、ネットワークコンピュータ、キオスク、無線データポート、パーソナルデータアシスタント（ＰＤＡ）、これらまたは他の装置内の１つまたは複数のプロセッサ、または他の任意の適切な処理装置を含み得る。要するに、コントローラは、ソフトウェア、ファームウェアおよびハードウェアの任意の適切な組み合わせを含み得る。
【００６９】
コントローラは、１つまたは複数の処理モジュールを追加的に含み得る。各処理モジュールは、各々、１つまたは複数のマイクロプロセッサ、コントローラ、または任意の他の適切な計算装置またはリソースを含み得、単独でまたは除湿システム６００および８００の他の構成要素と共に機能して、本明細書に記載の機能の一部または全てを提供し得る。コントローラは、コンピュータメモリを追加的に含み得る（またはコンピュータメモリに無線または有線通信を介して通信可能に結合され得る）。メモリは、任意のメモリまたはデータベースモジュールを含み得、磁気媒体、光学媒体、ランダムアクセスメモリ（ＲＡＭ）、リードオンリメモリ（ＲＯＭ）、リムーバブル媒体、または任意の他の適当なローカルまたはリモートメモリ構成要素を含むがこれらに限定されない、揮発性または不揮発性メモリの形態をとり得る。
【００７０】
除湿システム６００および８００の特定の実装が図示され、主に説明されているが、本開示は、特定のニーズに応じて、除湿システム６００および８００の任意の適切な実装を企図している。さらに、除湿システム６００および８００の種々の構成要素が、特定の位置に位置し、互いに相対的に位置するものとして示されてきたが、本開示は、特定のニーズに従って、これらの構成要素が任意の適切な位置に配置されることを企図している。
【００７１】
特定の実施形態では、図３、図６、又は図８の二次エバポレータ（３４０、６４０）、一次エバポレータ（３１０、６１０）および二次コンデンサ（３２０、６２０）は１つのコイルパックに組み合わされる。単一のコイルパックは、上述の二次エバポレータ、一次エバポレータ、二次コンデンサのそれぞれの機能に対応する部分（例えば、分離した冷媒回路）を含み得る。このような単一のコイルパックの例示的な例を図９に示す。図９は、複数のコイル（図９において円で表される）を含む単一のコイルパック９００を示す。コイルパック９００は、二次エバポレータ部分９４０、一次エバポレータ部分９１０、二次コンデンサ部分９２０を含む。コイルパックは、図９の例示的な場合に示されるように、計量装置９８０および９９０を含み得るおよび／またはそれらに流体的に接続可能であり得る。特定の実施形態では、計量装置９８０および９９０は、図３の一次計量装置３８０および二次計量装置３９０に対応する。
【００７２】
概して、計量装置９８０および９９０は、任意の適切なタイプの計量／膨張装置であり得る。いくつかの実施形態では、計量装置９８０は、サーモスタット膨張弁（ＴＸＶ）であり、二次計量装置９９０は、固定オリフィス装置である（またはその逆である）。概して、計量装置９８０および９９０は、冷媒９０５の流れから圧力を除去し、エバポレータ部分９１０および９４０内での液体から蒸気への膨張または状態の変化を可能にする。計量装置９８０および９９０に入る高圧液体（又は大部分が液体の）冷媒９０５は、計量装置９８０および９９０から出る液体冷媒９０５よりも高い温度にある。例えば、計量装置９８０に入る冷媒９０５の流れが３４０ｐｓｉｇ／８０°Ｆ／０％蒸気である場合、冷媒９０５の流れは、それが一次計量装置９８０を出るときに１９６ｐｓｉｇ／６８°Ｆ／５％蒸気であり得る。別の例として、二次計量装置９９０に入る冷媒９０５の流れが１９６ｐｓｉｇ／６８°Ｆ／４％蒸気である場合、冷媒９０５の流れは、二次計量装置９９０を出るときに１２８ｐｓｉｇ／４４°Ｆ／１４％蒸気であり得る。冷媒９０５は、図３の冷媒３０５に関して上述したように、任意の適切な冷媒であり得る。
【００７３】
単一のコイルパック９００の例示的実施形態の動作において、吸入空気流９０１は、吸入空気９０１から二次エバポレータ部分９４０を通過する冷たい冷媒９０５の流れに熱が伝達される二次エバポレータ部分９４０を通過する。その結果、吸入空気９０１は冷却され得る。一例として、吸入空気９０１が８０°Ｆ／６０％湿度である場合、二次エバポレータ部分９４０は、７０°Ｆ／８４％湿度で第１の空気流を排出し得る。これは、冷媒９０５の流れを、二次エバポレータ部分９４０内で部分的に蒸発させ得る。例えば、二次エバポレータ部分９４０に入る冷媒９０５の流れが１９６ｐｓｉｇ／６８°Ｆ／５％蒸気である場合、冷媒９０５の流れは、二次エバポレータ部分９４０を出るときに、１９６ｐｓｉｇ／６８°Ｆ／３８％蒸気であり得る。
【００７４】
冷却された吸入空気９０１は、コイルパック９００を通って進み、一次エバポレータ部分９１０に到達する。二次エバポレータ部分９４０と同様に、一次エバポレータ部分９１０は、空気流９０１から一次エバポレータ部分９１０を通過する冷たい冷媒９０５流れに熱を伝達する。その結果、空気流９０１は、その露点温度までまたはそれより下に冷却され、空気流９０１内の水分を凝縮させる（それによって、空気流９０１の絶対湿度を減少させる）。一例として、空気流９０１が７０°Ｆ／８４％湿度である場合、一次エバポレータ部分９１０は、空気流９０１を５４°Ｆ／９８％湿度に冷却し得る。これは、冷媒９０５の流れを一次エバポレータ部分９１０内で部分的または完全に蒸発させ得る。例えば、一次エバポレータ部分９１０に入る冷媒９０５の流れが１２８ｐｓｉｇ／４４°Ｆ／１４％蒸気である場合、冷媒９０５の流れは、一次エバポレータ部分９１０を出るときに１２８ｐｓｉｇ／５２°Ｆ／１００％蒸気であり得る。特定の実施形態では、一次エバポレータ部分９１０を通る空気流からの液体凝縮物が、（例えば、図４に示され、本明細書に記載されるような）凝縮物リザーバに接続されたドレンパンで収集され得る。加えて、凝縮物リザーバは、収集された凝縮物をコイルパック９００から（例えば、ドレンホースを介して）適切な排水又は貯蔵場所へ連続的にまたは周期的な間隔で移動させる凝縮物ポンプを含み得る。
【００７５】
一次エバポレータ部分９１０を出る冷却された空気流９０１は、二次コンデンサ部分９２０に入る。二次コンデンサ部分９２０は、二次コンデンサ部分９２０を通過する熱い冷媒９０５の流れから空気流９０１への熱伝達を促進する。これは、空気流９０１を再加熱し、その結果、相対湿度を低下させる。一例として、空気流９０１が５４°Ｆ／９８％湿度である場合、二次コンデンサ部分９２０は、６５°Ｆ／６８％湿度で出口空気流９２５を排出し得る。これは、冷媒９０５の流れを、二次コンデンサ部分９２０内で部分的または完全に凝縮させ得る。例えば、二次コンデンサ部分９２０に入る冷媒９０５の流れが１９６ｐｓｉｇ／６８°Ｆ／３８％蒸気である場合、冷媒９０５の流れは、二次コンデンサ部分９２０を出るときに１９６ｐｓｉｇ／６８°Ｆ／４％蒸気であり得る。出口空気流９２５は、例えば、図３の一次コンデンサ部分３３０またはサブクーリングコイル３５０に入り得る。
【００７６】
コイルパック９００の特定の実装が図示され、主に説明されているが、本開示は、特定の必要性に応じて、コイルパック９００の任意の適切な実装を企図している。さらに、コイルパック９００の種々の構成要素は、特定の位置にあるものとして示されているが、本開示は、これらの構成要素が特定の必要性に応じて任意の適切な場所に配置されることを企図している。
【００７７】
特定の実施形態では、図３、図６、または図８の二次エバポレータ（３４０、６４０）および二次コンデンサ（３２０、６２０）は、単一のコイルパックが二次エバポレータと二次エバポレータのそれぞれの機能に対応する部分（例えば、分離した冷媒回路）を含むように、単一のコイルパック内で組み合わされる。コンデンサそのような実施形態の例示的な例が図１０に示されている。図１０は、二次エバポレータ部分１０４０および二次コンデンサ部分１０２０を含む単一のコイルパック１０００を示す。図１０の例示的な例に示されるように、一次エバポレータ１０１０は、単一のコイルパック１０００の二次エバポレータ部分１０４０と二次コンデンサ部分１０２０との間に位置する。この例示的な実施形態では、単一のコイルパック１０００は、“Ｕ”形状のコイルとして示される。しかし、流動空気流１００１が二次エバポレータ部分１０４０、一次エバポレータ１０１０、および二次コンデンサ部分１０２０を順次通過する限り、代替実施形態が使用されてもよい。概して、単一のコイルパック１０００は、一次エバポレータ１０１０のものと比較して同一または異なるコイルタイプを含むことができる。例えば、単一のコイルパック１０００は、マイクロチャネルコイル型を含んでもよく、一次エバポレータ１０１０は、フィンチューブコイル型を含んでもよい。これは、単一のコイルパック１０００および一次エバポレータ１０１０が使用される除湿システムを最適化するためのさらなる柔軟性を提供し得る。
【００７８】
単一のコイルパック１０００の例示的実施形態の動作において、吸入空気１００１は、吸入空気１００１から二次エバポレータ部分１０４０を通過する冷たい冷媒の流れに熱が伝達される二次エバポレータ部分１０４０を通過する。その結果、吸入空気１００１は冷却され得る。一例として、吸入空気１００１が８０°Ｆ／６０％湿度である場合、二次エバポレータ部分１０４０は、７０°Ｆ／８４％湿度で空気流を排出し得る。これは、冷媒の流れを二次エバポレータ部分１０４０内で部分的に蒸発させ得る。例えば、二次エバポレータ１０４０に流入する冷媒の流れが１９６ｐｓｉｇ／６８°Ｆ／５％蒸気の場合、冷媒１００５の流れは、それが二次エバポレータ部分１０４０を出るときに、１９６ｐｓｉｇ／６８°Ｆ／３８％蒸気であり得る。
【００７９】
冷却された吸入空気１００１は、二次エバポレータ部分１０４０を出て、一次エバポレータ１０１０に入る。二次エバポレータ部分１０４０と同様、一次エバポレータ部分１０１０は、空気流１００１から一次エバポレータ１０１０を通過する冷たい冷媒の流れに熱を伝達する。その結果、空気流１００１は、その露点温度まで、またはそれより下に冷却され、空気流１００１内の水分を凝縮させる（それによって、空気流１００１の絶対湿度を減少させる）。一例として、一次エバポレータ１０１０に入る空気流１００１が７０°Ｆ／８４％湿度である場合、一次エバポレータ１０１０は、５４°Ｆ／９８％湿度で空気流を排出し得る。これは、冷媒の流れを一次エバポレータ１０１０内で部分的または完全に蒸発させる。例えば、一次エバポレータ１０１０に入る冷媒の流れが１２８ｐｓｉｇ／４４°Ｆ／１４％蒸気である場合、冷媒の流れは、一次エバポレータ１０１０を出るときに１２８ｐｓｉｇ／５２°Ｆ／１００％蒸気であり得る。特定の実施形態では、空気流１０１０からの液体凝縮物は、図４に示すように、凝縮物リザーバに接続されたドレンパンに収集され得る。加えて、凝縮物リザーバは、収集された凝縮物を一次エバポレータ１０１０、および関連する除湿システムから（例えば、ドレンホースを介して）適当な排水または貯蔵場所に、連続的または周期的な間隔で移動させる凝縮物ポンプを含み得る。
【００８０】
冷却された空気流１００１は、一次エバポレータ１０１０を出て、二次コンデンサ部分１０２０に入る。二次コンデンサ部分１０２０は、二次コンデンサ１０２０を通過する熱い冷媒の流れから空気流１００１への熱伝達を促進する。これは、空気流１００１を再加熱し、それによって、その相対湿度を低下させる。一例として、二次コンデンサ部分１０２０に入る空気流１００１が５４°Ｆ／９８％湿度である場合、二次コンデンサ１０２０は、６５°Ｆ／６８％湿度で空気流１０２５を排出し得る。これは、冷媒の流れを、二次コンデンサ１０２０内で部分的または完全に凝縮させ得る。例えば、二次コンデンサ部分１０２０に入る冷媒の流れが１９６ｐｓｉｇ／６８°Ｆ／３８％蒸気である場合、冷媒の流れは、二次コンデンサ１０２０を出るときに１９６ｐｓｉｇ／６８°Ｆ／４％蒸気であり得る。出口空気流１０２５は、例えば、図３の一次コンデンサ３３０またはサブクーリングコイル３５０に入り得る。
【００８１】
コイルパック１０００の特定の実装が図示され、主に説明されているが、本開示は、特定の必要性に応じて、コイルパック１０００の任意の適切な実装を企図している。さらに、コイルパック１０００の種々の構成要素が、特定の場所に位置するように示されているが、本開示は、これらの構成要素が特定の必要性に応じて任意の適切な場所に配置されることを企図している。
【００８２】
特定の実施形態では、図３、図６、または図８の二次エバポレータ（３４０、６４０）および一次エバポレータ（３１０、６１０）の一方または両方は、２つ以上の回路に細分される（subdivided）。このような実施形態でが、細分されたエバポレータ（複数可）の各回路は、対応する計量装置により冷媒を供給される。計量装置は、受動（passive）計量装置、能動（active）計量装置、またはそれらの組み合わせを含み得る。例えば、計量装置３８０（または６９０）は、能動サーモスタット膨張弁（ＴＸＶ）であり得、二次計量装置３９０（または６９０）は、受動固定オリフィス装置であり得る（またはその逆であり得る）。計量装置は、所望の質量流量でエバポレータ内の各回路へ冷媒を供給するように構成され得る。細分されたエバポレータ（複数可）の各回路に冷媒を供給する計量装置は、計量装置３８０および３９０と組み合わせて使用され得る、または、計量装置３８０および３９０の一方または両方に取って変わり得る。
【００８３】
図１１、１２、１３、および１４は、特定の実施形態による、一次エバポレータ１１１０が冷媒の流れのための３つの回路を有する除湿システムの部分１１００の例示的な例を示す。部分１１００は、一次計量装置１１８０と、二次計量装置１１９０ａ〜ｃと、二次エバポレータ１１４０と、一次エバポレータ１１１０と、二次コンデンサ１１２０とを含む。一次エバポレータ１１１０は、二次計量装置１１９０ａ〜ｃからの冷媒の流れを受け入れるための３つの回路を含む。図１１、１２、１３、および１４の例では、二次計量装置１１９０ａ〜ｃの各々は、受動計量装置（すなわち、固定された内径および長さのオリフィスを有する）である。しかし、二次計量装置１１９０ａ〜ｃの１つまたは複数（すべてまで）は、能動計量装置（例えば、サーモスタット膨張弁）であり得ることが理解されるべきである。
【００８４】
除湿システムの部分１１００の例示的実施形態の動作では、冷却された（またはサブクールされた）冷媒の流れは、例えば、図３の除湿システム３００のサブクールコイル３５０または一次コンデンサ３３０から入口１１０２に受け入れられる。一次計量装置１１８０は、二次エバポレータ１１４０への冷媒の流量を決定する。図１１、１２、１３、および１４は、単一の一次計量装置１１８０を有するように示されているが、他の実施形態は、複数の一次計量装置を並列に含むことができる（例えば、二次エバポレータ１１４０が冷媒の流れのための二以上の回路を有する場合）。
【００８５】
冷却された冷媒が二次エバポレータ１１４０を通過すると、冷媒と二次エバポレータ１１４０を通過する空気流との間で熱が交換され、吸入空気を冷却する。一例として、吸入空気が８０°Ｆ／６０％湿度である場合、二次エバポレータ１１４０は、７０°Ｆ／８４％湿度で空気流を排出し得る。これは、冷媒の流れを二次エバポレータ１１４０内で部分的に蒸発させる。例えば、二次エバポレータ１１４０に入る冷媒の流れが１９６ｐｓｉｇ／６８°Ｆ／５％蒸気である場合、冷媒の流れは、二次エバポレータ１１４０を出るときに１９６ｐｓｉｇ／６８°Ｆ／３８％蒸気であり得る。
【００８６】
二次コンデンサ１１２０は、チューブ１１０６を介して二次エバポレータ１１４０から温められた冷媒を受ける。二次コンデンサ１１２０は、二次コンデンサ１１２０を通過する熱い冷媒の流れから空気流への熱伝達を促進する。これは、空気流を再加熱し、それによって相対湿度を低下させる。一例として、空気流量が５４°Ｆ／９８％湿度である場合、二次コンデンサ１１２０は、６５°Ｆ／６８％湿度で空気流量を排出し得る。これは、冷媒の流れを二次コンデンサ１１２０内で部分的にまたは完全に凝縮させ得る。例えば、二次コンデンサ１１２０に入る冷媒の流れが１９６ｐｓｉｇ／６８°Ｆ／３８％蒸気である場合、冷媒の流れは、二次コンデンサ１１２０を出るときに１９６ｐｓｉｇ／６８°Ｆ／４％蒸気であり得る。冷却された冷媒は、１１０８で二次コンデンサを出て、冷媒の流れを一次エバポレータ１１１０の３つの回路に分配する計量装置１１９０ａ〜ｃに受け入れられる。図１４は、一次エバポレータ１１１０の回路を含む図を示す。一次エバポレータ１１１０を通過する空気流は、その露点温度以下に冷却され得、空気流内の水分を凝縮させる（それによって、空気の絶対湿度を低下させる）。一例として、空気流量が７０°Ｆ／８４％湿度である場合、一次エバポレータ１１１０は５４°Ｆ／９８％湿度で空気流を排出し得る。これは、冷媒の流れを一次エバポレータ１１１０内で部分的にまたは完全に蒸発させ得る。
【００８７】
二次計量装置１１９０ａ、１１９０ｂ、および１１９０ｃの各々は、一次エバポレータ１１１０の各回路に所望の流量で冷媒を供給するように構成される。例えば、各回路に供給される流量は、一次エバポレータ１１１０の性能を改善するために最適化され得る。例えば、特定の動作条件下では、伝統的なエバポレータコイルで生じるように、冷媒の流れ全体がエバポレータ全体を通過することを防ぐことが有益であり得る。このようなエバポレータを通って流れる冷媒は、コイルを出る前に液相から気相に変化し、その結果、気体冷媒のみに接触するエバポレータの部分における性能が低下する。この問題を大幅に低減または除去するために、本開示は、各回路を通る所望の流量の冷媒の流れを提供する。所望の流量は、所定であり得る（例えば、既知の設計基準および／または動作条件に基づいて）および／または動作中に可変（例えば、手動および／またはリアルタイムで自動的に調整可能）であり得る。流量は、冷媒の流れがガスへの移行直後にそれぞれの回路から出るように構成され得る。例えば、エバポレータのエッジ付近の空気流の流量は、エバポレータの中心付近よりも小さくなり得る。したがって、より低い冷媒流量が、二次計量装置１１９０ａ〜ｃによって、一次エバポレータ１１１０のエッジに対応する回路に供給され得る。
【００８８】
図１１、１２、１３、および１４の例は、２つ以上の回路に細分された一次エバポレータを含む。他の実施形態では、二次エバポレータ１１１０もまた、または二次エバポレータ１１１０代替的に、２つ以上の回路に細分され得る。また、図１１、１２、１３、および１４によって例示される回路はまた、図９および図１０に示されるような単一のコイルパックで達成されることができることも理解されるべきである。
【００８９】
除湿システムの部分１１００の特定の実装が図示され、主に説明されているが、本開示は、特定のニーズに従って、除湿システムの部分１１００の任意の適切な実装を企図している。さらに、除湿システムの部分１１００の種々の構成要素が特定の位置に位置するように図示されているが、本開示は、特定のニーズに従って、これらの構成要素が任意の適切な位置に配置されることを企図している。
【００９０】
本明細書において、コンピュータ可読非一時記憶媒体は、必要に応じて、１つ又は複数の半導体ベース又は他の集積回路（ＩＣ）（例えば、フィールドプログラマブルゲートアレイ（ＦＰＧＡ）又は特定用途向け集積回路（ＡＳＩＣ））、ハードディスクドライブ（ＨＤＤ）、ハイブリッドハードドライブ（ＨＨＤ）、光ディスク、光ディスクドライブ（ＯＤＤ）、光磁気ディスク、光磁気ドライブ、フロッピーディスク、フロッピーディスクドライブ（ＦＤＤ）、磁気テープ、ソリッドステートドライブ（ＳＳＤ）、ＲＡＭドライブ、セキュアデジタルカードまたはドライブ、任意の他の適当なコンピュータ可読非一時記憶媒体、またはこれらの２つ以上の適当な組み合わせを含み得る。コンピュータ可読非一時記憶媒体は、必要に応じて、揮発性、不揮発性、または揮発性と不揮発性の組み合わせであり得る。
【００９１】
本明細書において、「または」は、明示的に別段の指示がない限りまたは文脈上別段の指示がない限り、包括的であり、排他的ではない。従って、本明細書において、「ＡまたはＢ」とは、明示的に別段の指示がない限りまたは文脈上別段の指示がない限り、「Ａ、Ｂ、またはその両方」を意味する。さらに、「および」は、別段の明示がない限りまたは文脈上別段の指示がない限り、連帯および個別の両方である。したがって、本明細書において、「ＡおよびＢ」は、明示的に別段の指示がない限り、または文脈上別段の指示がない限り、「ＡおよびＢを、連体的にまたは個別的に」意味する。本開示の範囲は、当業者が理解するであろう、本明細書に記載または図示された例示的な実施形態に対するすべての変更、置換、変形、改変、および修正を包含する。本開示の範囲は、本明細書に記載または図示された例示的な実施形態に限定されない。さらに、本開示は、本明細書中の各実施形態を、特定の構成要素、要素、特徴、機能、動作、またはステップを含むものとして記載し、説明するが、これらの実施形態のいずれかは、本明細書のいずれかの箇所に記載または図示した構成要素、要素、特徴、機能、動作、またはステップのいずれかの任意の組み合わせまたは置換を含み得、このことは、当業者が理解するであろう。さらに、特定の機能を実行するように適合される、配置される、可能である、構成にされる、可能にされる、作動可能である、又は動作する装置若しくはシステム、又は装置若しくはシステムの構成要素への添付の特許請求の範囲における言及は、可能であるか否かを問わず、その装置、システム、または構成要素が、そのように適合され、配置され、可能であり、構成され、可能にされ、作動可能であり、又は動作する限り、その特定の機能が起動、オン、またはロック解除されているか否かを問わず、その装置、システム、構成要素を包含する。加えて、本開示は、特定の実施形態を特定の利点を提供するものとして説明または図示するが、特定の実施形態は、これらの利点の何れも提供しない、いくつかを提供する、またはすべてを提供することができる。
【図１】
2020106265.tif 000003
【図２】
2020106265.tif 000004
【図３】
2020106265.tif 000005
【図４】
2020106265.tif 000006
【図５】
2020106265.tif 000007
【図６】
2020106265.tif 000008
【図７】
2020106265.tif 000009
【図８】
2020106265.tif 000010
【図９】
2020106265.tif 000011
【図１０】
2020106265.tif 000012
【図１１】
2020106265.tif 000013
【図１２】
2020106265.tif 000014
【図１３】
2020106265.tif 000015
【図１４】
2020106265.tif 000016
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、除湿空気流を排出するように動作可能であり、前記除湿空気流は、前記第２の空気流より暖かく且つ湿度の低い空気を含み、前記除湿空気流は、前記第２の空気流が前記二次コンデンサを通過するとき、前記冷媒の流れから前記除湿空気流に熱を伝達することによって生成される；
二次コンデンサと：
前記吸入空気流、前記第１の空気流、前記第２の空気流、および前記除湿空気流を生成するように動作可能である第１のファンと；
を有する、除湿ユニット；並びに
コンデンサユニットであって：
第３の空気流を生成するように動作可能な第２のファンと；
サブクーリングコイルであって：
一次コンデンサから前記冷媒の流れを受け；
前記一次計量装置に前記冷媒の流れを排出し；
前記第３の空気流が前記サブクーリングコイルに接触するとき前記冷媒の流れから前記第３の空気流に熱を伝達する；
ように動作可能である、サブクーリングコイルと；
前記一次コンデンサであって：
コンプレッサから前記冷媒の流れを受け；
前記第３の空気流が前記一次コンデンサに接触するとき前記冷媒の流れから前記第３の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
【請求項２】
前記サブクーリングコイルおよび前記一次コンデンサは、単一のコイルユニットに組み合わされる、
請求項１に記載の除湿システム。
【請求項３】
前記二次エバポレータ、前記一次エバポレータ、および前記二次コンデンサからなるグループから選択される２以上の部材が単一のコイルパックに組み合わされる、
請求項１に記載の除湿システム。
【請求項４】
前記一次エバポレータおよび前記二次エバポレータのうちの少なくとも１つは、前記冷媒の流れのための２以上の回路を有する、
請求項１に記載の除湿システム。
【請求項５】
前記一次エバポレータおよび前記二次エバポレータのうちの少なくとも１つへの細分された前記冷媒の流れを供給するように動作可能な受動計量装置および能動計量装置のうちの少なくとも１つを有する、
請求項４に記載の除湿システム。
【請求項６】
前記一次計量装置および前記二次計量装置は、前記一次エバポレータおよび前記二次エバポレータのうちの少なくとも１つへの細分された前記冷媒の流れを供給するように動作可能である、
請求項４に記載の除湿システム。
【請求項７】
前記第２のファンは、前記第１のファンによって生成される前記第１の空気流の空気流量より約２倍から約５倍の間の空気流量で前記第３の空気流を生成するように動作可能である、
請求項１に記載の除湿システム。
【請求項８】
前記二次計量装置は、実質的に開放状態で動作する、
請求項１に記載の除湿システム。
【請求項９】
除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、第３の空気流を排出するように動作可能であり、前記第３の空気流は、前記第２の空気流より暖かく且つ湿度の低い空気を含み、前記第３の空気流は、前記第２の空気流が前記二次コンデンサを通過するとき、前記冷媒の流れから前記第３の空気流に熱を伝達することによって生成される；
二次コンデンサと：
サブクーリングコイルであって：
一次コンデンサから前記冷媒の流れを受けるように動作可能であり；
前記一次計量装置に前記冷媒の流れを排出するように動作可能であり；
前記第３の空気流を受け、除湿空気流を排出するように動作可能であり、前記除湿空気流は、前記第３の空気流より暖かく且つ湿度の低い空気を含み、前記除湿空気流は、前記第３の空気流が前記サブクーリングコイルを通過するとき、前記冷媒の流れから前記除湿空気流に熱を伝達することによって生成される；
サブクーリングコイルと；
前記吸入空気流、前記第１の空気流、前記第２の空気流、前記第３の空気流、および前記除湿空気流を生成するように動作可能である第１のファンと；
を有する、除湿ユニット；並びに
コンデンサユニットであって：
第４の空気流を生成するように動作可能な第２のファンと；
サブクーリングコイルであって：
前記一次コンデンサから前記冷媒の流れを受け；
前記一次計量装置に前記冷媒の流れを排出し；
前記第４の空気流が前記サブクーリングコイルに接触するとき前記冷媒の流れから前記第４の空気流に熱を伝達する；
ように動作可能である、サブクーリングコイルと；
前記一次コンデンサであって：
コンプレッサから前記冷媒の流れを受け；
前記第４の空気流が前記一次コンデンサに接触するとき前記冷媒の流れから前記第４の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
【請求項１０】
前記二次エバポレータ、前記一次エバポレータ、前記二次コンデンサ、および前記サブクーリングコイルからなるグループから選択される２以上の部材が単一のコイルパックに組み合わされる、
請求項９に記載の除湿システム。
【請求項１１】
前記一次エバポレータおよび前記二次エバポレータのうちの少なくとも１つは、前記冷媒の流れのための２以上の回路を有する、
請求項９に記載の除湿システム。
【請求項１２】
前記一次エバポレータおよび前記二次エバポレータのうちの少なくとも１つへの細分された前記冷媒の流れを供給するように動作可能な受動計量装置および能動計量装置のうちの少なくとも１つを有する、
請求項１１に記載の除湿システム。
【請求項１３】
前記一次計量装置および前記二次計量装置は、前記一次エバポレータおよび前記二次エバポレータのうちの少なくとも１つへの細分された前記冷媒の流れを供給するように動作可能である、
請求項１１に記載の除湿システム。
【請求項１４】
前記第２のファンは、前記第１のファンによって生成される前記第１の空気流の空気流量より約２倍から約５倍の間の空気流量で前記第４の空気流を生成するように動作可能である、
請求項９に記載の除湿システム。
【請求項１５】
前記二次計量装置は、実質的に開放状態で動作する、
請求項９に記載の除湿システム。
【請求項１６】
前記一次エバポレータおよび前記二次エバポレータのうちの少なくとも１つは、前記冷媒の流れのための２以上の回路を有する、
請求項３に記載の除湿システム。
【請求項１７】
前記一次エバポレータおよび前記二次エバポレータのうちの少なくとも１つへの細分された前記冷媒の流れを供給するように動作可能な受動計量装置および能動計量装置のうちの少なくとも１つを有する、
請求項１６に記載の除湿システム。
【請求項１８】
前記一次計量装置および前記二次計量装置は、前記一次エバポレータおよび前記二次エバポレータのうちの少なくとも１つへの細分された前記冷媒の流れを供給するように動作可能である、
請求項１６に記載の除湿システム。
【請求項１９】
前記一次エバポレータおよび前記二次エバポレータのうちの少なくとも１つは、前記冷媒の流れのための２以上の回路を有する、
請求項１０に記載の除湿システム。
【請求項２０】
前記一次エバポレータおよび前記二次エバポレータのうちの少なくとも１つへの細分された前記冷媒の流れを供給するように動作可能な受動計量装置および能動計量装置のうちの少なくとも１つを有する、
請求項１９に記載の除湿システム。
【外国語明細書】
2020106265000001.pdf